(57)【要約】【課題】周辺基地局情報を容易かつ適切に更新可能であり、かつ、更新の際に用いる無線リソースの消費を抑制すること【解決手段】基地局装置は、移動局装置の当該基地局装置へのハンドオーバーの要求を受信する受信部と、この移動局装置が保持する周辺基地局情報の基地局識別情報各々に、予め決められた規則で周辺基地局識別子を割り当て、該周辺基地局識別子を用いた差分基地局情報を生成する差分基地局情報生成部と、この差分基地局情報を送信する送信部とを具備し、移動局装置は、周辺基地局情報を記憶する記憶部と、差分基地局情報を受信する受信部と、記憶部が記憶する周辺基地局情報各々に、上述の規則で割り当てた周辺基地局識別子を用いて差分基地局情報を記憶部に反映させる周辺基地局情報更新部と、記憶部の周辺基地局情報に基づき、各周辺基地局装置からの信号を測定する周辺基地局測定部とを具備することを特徴とする移動通信システム。【選択図】図２
2009081547.tif 000002
【特許請求の範囲】
【請求項１】
前記移動局装置と前記基地局装置とを有する移動通信システムであって、
前記基地局装置は、
当該基地局装置へのハンドオーバー要求を受信する受信部と、
受信した前記ハンドオーバー要求を契機として、所定の規則に基づき、前記ハンドオーバー要求の要求元の移動局装置が測定対象としている基地局装置を示す第１のリストの各基地局装置に対して周辺基地局識別子を割り当て、該第１のリストと前記移動局装置が測定すべき基地局装置を示す第２のリストとの差分を表す差分基地局情報であって、前記周辺基地局識別子を用いた前記移動局装置向けの差分基地局情報を生成する差分基地局情報生成部と、
生成した前記差分基地局情報を送信する送信部と
を具備し、
前記移動局装置は、
前記第１のリストの周辺基地局情報を記憶する記憶部と、
前記基地局装置が送信した差分基地局情報を受信する受信部と、
前記所定の規則に基づき、前記第１のリストの各基地局装置に関する周辺基地局情報に対して周辺基地局識別子を割り当て、該周辺基地局識別子と、前記差分基地局情報とに基づいて前記記憶部が記憶する第１のリストの周辺基地局情報を前記第２のリストの周辺基地局情報に更新する周辺基地局情報更新部と、
前記記憶部が記憶する周辺基地局情報に基づき、各基地局装置からの信号を測定する周辺基地局測定部と
を具備することを特徴とする移動通信システム。
【請求項２】
前記基地局装置の差分基地局情報生成部は、前記ハンドオーバー要求に基づき前記第１のリストを取得し、該第１のリストと前記第２のリストとを比較し、少なくとも前記第１のリストにのみ含まれている基地局装置を通知する削除情報を前記周辺基地局識別子に基づいて生成し、さらに前記第２のリストにのみ含まれる基地局装置に関する周辺基地局情報を通知する追加情報を生成し、前記削除情報と前記追加情報とを含む前記差分基地局情報を生成すること
を特徴とする請求項１に記載の移動通信システム。
【請求項３】
前記基地局装置の前記送信部は、当該基地局装置の通信範囲の全移動局装置に宛てて送信する報知情報を用いて、当該基地局装置が保持する周辺基地局情報を示す第３のリストを移動局装置に送信し、
前記基地局装置の差分基地局情報生成部は、前記ハンドオーバー要求に基づき取得したハンドオーバー前に移動局装置が測定対象としていた基地局装置を示すリストと前記第３のリストとを併せて前記第１のリストを生成し、該第１のリストと前記第２のリストとを比較して、前記第１のリストにのみ含まれている基地局装置を通知する削除情報を前記周辺基地局識別子に基づいて生成し、少なくとも前記削除情報を含む前記差分基地局情報を生成し、
前記移動局装置の受信部は、前記報知情報を用いて送信された前記第３のリストを受信し、
前記周辺基地局情報更新部は、ハンドオーバー前に当該移動局装置が測定対象としていた基地局装置を示すリストと受信した前記第３のリストとを併せ、重複を省いて生成した前記第１のリストを前記記憶部に記憶させること
を特徴とする請求項１に記載の移動通信システム。
【請求項４】
前記基地局装置の差分基地局情報生成部は、前記ハンドオーバー要求の要求元の移動局装置の種別情報を取得し、
前記第２のリストは、該種別情報に基づき選択された基地局装置に関する周辺基地局情報を示すリストであること
を特徴とする請求項２または請求項３に記載の移動通信システム。
【請求項５】
前記削除情報は、前記周辺基地局識別子に基づき基地局装置に割り当てられた各ビットにより、削除もしくは非削除を指示することを特徴とする請求項２から請求項４のいずれかの項に記載の移動通信システム。
【請求項６】
移動局装置と基地局装置とを備える移動通信システムにおけるハンドオーバー方法において、
前記基地局装置が、前記移動局装置の当該基地局装置へのハンドオーバー要求を受信する第１の過程と、
前記基地局装置が、前記第１の過程にて受信した前記ハンドオーバー要求を契機として、所定の規則に基づき、前記ハンドオーバー要求の要求元の移動局装置が測定対象としている基地局装置を示す第１のリストの各基地局装置に対して周辺基地局識別子を割り当て、該第１のリストと前記移動局装置が測定すべき基地局装置を示す第２のリストとの差分を表す差分基地局情報であって、前記周辺基地局識別子を用いた前記移動局装置向けの差分基地局情報を生成する第２の過程と、
前記基地局装置が、前記第２の過程にて生成した前記差分基地局情報を送信する第３の過程と、
前記移動局装置が、前記第３の過程にて前記基地局装置が送信した差分基地局情報を受信する第４の過程と、
前記移動局装置が、前記所定の規則に基づき、前記第１のリストの各基地局装置に関する周辺基地局情報に対して周辺基地局識別子を割り当て、該周辺基地局識別子と、前記差分基地局情報とに基づいて記憶部が記憶する前記第１のリストの周辺基地局情報を前記第２のリストの周辺基地局情報に更新する第５の過程と、
前記移動局装置が、前記記憶部が記憶する周辺基地局情報に基づき、各周辺基地局装置からの信号を測定する第６の過程と
を具備することを特徴とするハンドオーバー方法。
【請求項７】
移動局装置の当該基地局装置へのハンドオーバー要求を受信する受信部と、
受信した前記ハンドオーバー要求を契機として、所定の規則に基づき、前記ハンドオーバー要求の要求元の移動局装置が測定対象としている基地局装置を示す第１のリストの各基地局装置に対して周辺基地局識別子を割り当て、該第１のリストと前記移動局装置が測定すべき基地局装置を示す第２のリストとの差分を表す差分基地局情報であって、前記周辺基地局識別子を用いた前記移動局装置向けの差分基地局情報を生成する差分基地局情報生成部と、
生成した前記差分基地局情報を送信する送信部と
を具備することを特徴とする基地局装置。
【請求項８】
測定対象としている基地局装置を示す第１のリストの周辺基地局情報を記憶する記憶部と、
前記基地局装置が送信した差分基地局情報を受信する受信部と、
所定の規則に基づき、前記第１のリストの各基地局装置に関する周辺基地局情報に対して周辺基地局識別子を割り当て、該周辺基地局識別子と、前記差分基地局情報とに基づいて前記記憶部が記憶する第１のリストの周辺基地局情報を前記第２のリストの周辺基地局情報に更新する周辺基地局情報更新部と、
前記記憶部が記憶する周辺基地局情報に基づき、各基地局装置からの信号を測定する周辺基地局測定部と
を具備することを特徴とする移動局装置。
【請求項９】
基地局装置が具備するコンピュータを、
移動局装置の当該基地局装置へのハンドオーバー要求を受信する受信部、
受信した前記ハンドオーバー要求を契機として、所定の規則に基づき、前記ハンドオーバー要求の要求元の移動局装置が測定対象としている基地局装置を示す第１のリストの各基地局装置に対して周辺基地局識別子を割り当て、該第１のリストと前記移動局装置が測定すべき基地局装置を示す第２のリストとの差分を表す差分基地局情報であって、前記周辺基地局識別子を用いた前記移動局装置向けの差分基地局情報を生成する差分基地局情報生成部、
生成した前記差分基地局情報を送信する送信部
として動作させるためのプログラム。
【請求項１０】
周辺基地局情報を記憶する記憶部を具備する移動局装置のコンピュータを、
前記基地局装置が送信した差分基地局情報を受信する受信部、
所定の規則に基づき、前記第１のリストの各基地局装置に関する周辺基地局情報に対して周辺基地局識別子を割り当て、該周辺基地局識別子と、前記差分基地局情報とに基づいて記憶部が記憶する第１のリストの周辺基地局情報を前記第２のリストの周辺基地局情報に更新する周辺基地局情報更新部、
前記記憶部が記憶する周辺基地局情報に基づき、各基地局装置からの信号を測定する周辺基地局測定部
として動作させるためのプログラム。
【発明の詳細な説明】
【技術分野】
【０００１】
本発明は、移動通信システム、移動局装置、基地局装置、ハンドオーバー方法およびプログラム、特に、移動局装置が基地局装置間をハンドオーバーする移動通信システム、移動局装置、基地局装置、ハンドオーバー方法およびプログラムに関する。
【背景技術】
【０００２】
現在、第３世代の周波数帯に第４世代向けに検討されていた技術の一部を導入することによって、通信速度の高速化を目的とした第３世代の移動無線アクセス網の進化Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降、「ＥＵＴＲＡ」という）が標準化団体３ＧＰＰ（３ｒｄ  Ｇｅｎｅｒａｔｉｏｎ  Ｐａｒｔｎｅｒｓｈｉｐ  Ｐｒｏｊｅｃｔ）にて検討されている（非特許文献１）。
ＥＵＴＲＡでは、通信方式として、マルチパス干渉に強く、高速伝送に適したＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式を採用することが決まっている。また、ＥＵＴＲＡに関するデータ転送制御やリソース管理制御といった上位レイヤの動作に関する詳細仕様は、低遅延、低オーバーヘッド化を実現し、更に可能な限り簡易な技術の採用が進められている。
【０００３】
ＥＵＴＲＡでは、第３世代の移動無線アクセス網ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）で採用されたＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式とでは、異なる制御方式が考えられている。例えば、Ｗ−ＣＤＭＡ方式では、特定の移動局装置向けではなく、あるエリア内に位置する移動局装置が共通して使用する情報（報知情報）を送信するための報知情報チャネル、及び移動局装置に対して個別に送信される測定制御情報メッセージに周辺基地局情報を含めていたが、ＥＵＴＲＡではこの周辺基地局情報を報知情報チャネルには含めず、移動局装置に対して個別に通知する測定制御情報メッセージのみを採用することで、報知情報チャネルの無線リソースの消費を削減する提案がなされている（非特許文献１）。なお、周辺基地局情報とは、基地局装置を識別するための基地局ＩＤ（基地局識別番号）と、送信電力情報、ダイバーシティの有無を表すダイバーシティ情報、測定時のオフセット値などといった基地局装置の測定に必要な情報群である基地局情報とを含む情報のことであり、移動局装置は、周辺基地局情報として通知された基地局装置をセル選択や、ハンドオーバー対象として基地局測定を行う。例えば、図２６に示すように基地局装置ａ〜ｊが配置されているとき、基地局装置ｅと通信している移動局装置は、基地局装置ａ、ｂ、ｃ、ｄ、ｅ、ｆ、ｈをハンドオーバー対象としている。
【０００４】
図２７は、Ｗ−ＣＤＭＡ方式における基地局装置及び移動局装置が保持する周辺基地局管理テーブルを説明するための図である。基地局装置は、図２７に示すように、管理上必要な論理的な番号（基地局管理番号）を基地局情報に対して各々割り振り、基地局管理番号と、基地局管理番号に対応する基地局装置の情報（基地局情報）とを１セットの周辺基地局情報として、複数セットの周辺基地局情報からなる周辺基地局情報のテーブル（周辺基地局管理テーブル）を生成する。
例えば、３２セットの周辺基地局情報を保持する場合、１〜３２までの基地局管理番号が各周辺基地局情報に対して割り振られる。この基地局管理番号は、基地局装置によって割り振られる。移動局装置は、前記基地局装置の周辺基地局管理テーブルを取得し、また、基地局装置の指示によって周辺基地局管理テーブルを更新する。この方法によって、基地局装置は移動局装置の周辺基地局管理テーブルを常に把握することが可能となる。
【０００５】
移動局装置がハンドオーバーする際に、基地局装置は、測定制御情報メッセージを該移動局装置に送信して、移動局装置が保持しているハンドオーバー対象の基地局装置の情報（周辺基地局情報）を変更させる。例えば、図２６に示す基地局装置ｅと通信している移動局装置が、基地局装置ｈにハンドオーバーするときには、ハンドオーバー対象は、基地局装置ｅにおける基地局装置ａ、ｂ、ｃ、ｄ、ｅ、ｆ、ｈから、基地局装置ｈにおける基地局装置ｄ、ｅ、ｆ、ｇ、ｈ、ｉ、ｊに変わる。このため、基地局装置は、移動局装置に、基地局装置ａ、ｂ、ｃの基地局情報を削除させ、基地局装置ｇ、ｉ、ｊの基地局情報を追加させる。
【０００６】
図２８は、Ｗ−ＣＤＭＡ方式における測定制御情報メッセージに含まれる周辺基地局情報のデータ構造の概略を示した図である。Ｗ−ＣＤＭＡ方式では、基地局装置は、この測定制御情報メッセージにより、移動局装置が保持する周辺基地局情報の変更を指示する。ハンドオーバー先の基地局装置は、ハンドオーバー後の移動局装置ではハンドオーバー対象にならない基地局情報数（削除基地局情報数）と、削除基地局情報数分の基地局管理番号（削除基地局管理番号）と、新規の基地局情報数（追加基地局情報数）と、追加基地局情報数分の基地局管理番号（追加基地局管理番号）と、基地局管理番号に対応する基地局情報（追加基地局情報）とを含む差分基地局情報を測定制御情報メッセージに含めて通知する。
【０００７】
図２９は、ＥＵＴＲＡにおける周辺基地局情報が、ハンドオーバー後に移動局装置に対して個別に通知される場合のハンドオーバー手順を示すシーケンス図である。図２９のシーケンスは、移動局装置が基地局装置１と通信を行っている状態から開始し、基地局装置２へハンドオーバーする制御を示したものである。ここで、移動局装置は基地局装置１に対して基地局装置１と基地局装置２の受信品質の測定結果を含んだ測定報告メッセージを通知する（Ｓ１）。基地局装置１は、前記測定報告メッセージの内容から基地局装置２へのハンドオーバーが必要であると判断したとき、基地局装置１から基地局装置２へハンドオーバー要求メッセージにて移動局装置のハンドオーバーの必要性を通知し、ハンドオーバーのための準備を要求する（Ｓ２）。このとき、同時に移動局装置の情報として周辺基地局情報テーブルを転送する（Ｓ３）。
【０００８】
図ではＳ２のハンドオーバー要求とＳ３の周辺基地局情報テーブルは別のメッセージとして記載してあるが、周辺基地局情報テーブルをハンドオーバー要求メッセージに含めてもよい。基地局装置２が、ハンドオーバーを実行可能と判断した場合、ハンドオーバー要求許可メッセージを基地局装置１に通知する（Ｓ４）。ハンドオーバー要求許可メッセージを受信した基地局装置１は、移動局装置に対してハンドオーバー指示メッセージを通知することで（Ｓ５）、移動局装置にてハンドオーバー処理が実施される。ハンドオーバー処理が完了した移動局装置は、基地局装置２に対してハンドオーバー完了メッセージを送信する（Ｓ６）。ハンドオーバー完了メッセージを受信した基地局装置２は、移動局装置が基地局装置２で通信を行う場合に必要な周辺基地局情報が含まれた測定制御情報メッセージを移動局装置に通知し（Ｓ７）、ハンドオーバーが完了する。
【０００９】
このようにハンドオーバー実施後に、ハンドオーバー先の基地局装置から通知される周辺基地局情報は、周辺基地局装置数の増加に伴い必要な情報量が増加するため、基地局装置の無線リソースの消費が多い。例えば、複数の移動局装置が同時にハンドオーバーする場合、本周辺基地局情報を通知するために無線リソースが大量に消費されるという問題があった。そのため、周辺基地局情報の情報量を削減して、無線リソースの消費を抑制するための方法がいくつか提案されている。
【００１０】
例えば、周辺基地局情報において共通する情報をまとめることで、また、周波数情報のように設定値が比較的連続する情報については差分を通知することで、情報量を削減する方法が提案されている（特許文献１参照）。
また、他の例では、最小限の周辺基地局情報のみを通知し、移動局装置で周辺基地局情報を結合することで情報量を削減する方法が提案されている（非特許文献２参照）。
また、他の例では、基地局装置で使用されるセル選択用のパラメータの多くが、各基地局装置で共通であることを利用し、基地局装置はパラメータを通知するのではなく、パラメータセットを事前に定義し、パラメータセットの番号を通知することで、情報量を削減する方法が提案されている（非特許文献３）。
【特許文献１】特表２００２−５３３０３２
【非特許文献１】３ＧＰＰ  ＴＳ３６．３００  Ｖ０．９．０（２００７−３），Ｏｖｅｒａｌｌ  ｄｉｓｃｒｉｐｔｉｏｎ；Ｓｔａｇｅ２ｈｔｔｐ：／／ｗｗｗ．３ｇｐｐ．ｏｒｇ／ｆｔｐ／Ｓｐｅｃｓ／ｈｔｍｌ−ｉｎｆｏ／３６３００．ｈｔｍ
【非特許文献２】ＬＧ  Ｅｌｅｃｔｒｏｎｉｃｓ  Ｉｎｃ．，“Ｒ２−０７０６９０”，３ＧＰＰ  ＴＳＧ  ＲＡＮ  ＷＧ２＃５７，Ｓｔ．Ｌｏｕｉｓ，ＵＳＡ，１２−１６ｔｈ  Ｆｅｂｒｕａｒｙ，２００７．
【非特許文献３】Ｓａｍｓｕｎｇ，“Ｒ２−０７０６７９”，３ＧＰＰ  ＴＳＧ  ＲＡＮ  ＷＧ２  ＃５７，Ｓｔ．Ｌｏｕｉｓ，ＵＳＡ，１２−１６ｔｈ  Ｆｅｂｒｕａｒｙ  ２００７
【発明の開示】
【発明が解決しようとする課題】
【００１１】
しかしながら、共通する情報をまとめる方法は、例えば、基地局装置間で共通する情報が少ないときなど、情報量が十分に削減されないことがあるという問題がある。また、最小限の周辺基地局情報のみを通知する方法は、移動局装置が基地局装置の位置関係を把握できないため、移動局装置は、ハンドオーバー対象とならない周辺基地局情報であっても長時間保持してしまい、その結果、移動局装置は、不必要な基地局装置の測定を続けることで消費電力が増加するという問題がある。また、パラメータセットを用いる方法は事前に保持しているパラメータセット以外の値もしくは組合せの基地局情報以外を使用することができないという問題がある。
また、従来の周辺基地局情報の管理方法は、基地局情報に対して割り当てる論理的な基地局管理番号を移動局装置毎に別途用意していたため、ハンドオーバー時に基地局装置間で移動局装置の周辺基地局管理テーブルを転送する必要があり、周辺基地局情報の管理が複雑になるという別の問題がある。
【００１２】
本発明は、このような事情に鑑みてなされたもので、その目的は、ハンドオーバー時に、移動局装置が保持する周辺基地局情報を容易かつ適切に更新可能であり、かつ、更新の際に用いる無線リソースの消費を抑制することができる移動通信システム、移動局装置、基地局装置、無線通信方法およびプログラムを提供することにある。
【課題を解決するための手段】
【００１３】
この発明は上述した課題を解決するためになされたもので、本発明の移動通信システムは、前記移動局装置と前記基地局装置とを有する移動通信システムであって、前記基地局装置は、当該基地局装置へのハンドオーバー要求を受信する受信部と、受信した前記ハンドオーバー要求を契機として、所定の規則に基づき、前記ハンドオーバー要求の要求元の移動局装置が測定対象としている基地局装置を示す第１のリストの各基地局装置に対して周辺基地局識別子を割り当て、該第１のリストと前記移動局装置が測定すべき基地局装置を示す第２のリストとの差分を表す差分基地局情報であって、前記周辺基地局識別子を用いた前記移動局装置向けの差分基地局情報を生成する差分基地局情報生成部と、生成した前記差分基地局情報を送信する送信部とを具備し、前記移動局装置は、前記第１のリストの周辺基地局情報を記憶する記憶部と、前記基地局装置が送信した差分基地局情報を受信する受信部と、前記所定の規則に基づき、前記第１のリストの各基地局装置に関する周辺基地局情報に対して周辺基地局識別子を割り当て、該周辺基地局識別子と、前記差分基地局情報とに基づいて前記記憶部が記憶する第１のリストの周辺基地局情報を前記第２のリストの周辺基地局情報に更新する周辺基地局情報更新部と、前記記憶部が記憶する周辺基地局情報に基づき、各基地局装置からの信号を測定する周辺基地局測定部とを具備することを特徴とする。
【００１４】
また、この発明の移動通信システムは、上述の移動通信システムであって、前記基地局装置の差分基地局情報生成部は、前記ハンドオーバー要求に基づき前記第１のリストを取得し、該第１のリストと前記第２のリストとを比較し、少なくとも前記第１のリストにのみ含まれている基地局装置を通知する削除情報を前記周辺基地局識別子に基づいて生成し、さらに前記第２のリストにのみ含まれる基地局装置に関する周辺基地局情報を通知する追加情報を生成し、前記削除情報と前記追加情報とを含む前記差分基地局情報を生成することを特徴とする。
【００１５】
また、この発明の移動通信システムは、上述の移動通信システムであって、前記基地局装置の前記送信部は、当該基地局装置の通信範囲の全移動局装置に宛てて送信する報知情報を用いて、当該基地局装置が保持する周辺基地局情報を示す第３のリストを移動局装置に送信し、前記基地局装置の差分基地局情報生成部は、前記ハンドオーバー要求に基づき取得したハンドオーバー前に移動局装置が測定対象としていた基地局装置を示すリストと前記第３のリストとを併せて前記第１のリストを生成し、該第１のリストと前記第２のリストとを比較して、前記第１のリストにのみ含まれている基地局装置を通知する削除情報を前記周辺基地局識別子に基づいて生成し、少なくとも前記削除情報を含む前記差分基地局情報を生成し、前記移動局装置の受信部は、前記報知情報を用いて送信された前記第３のリストを受信し、前記周辺基地局情報更新部は、ハンドオーバー前に当該移動局装置が測定対象としていた基地局装置を示すリストと受信した前記第３のリストとを併せ、重複を省いて生成した前記第１のリストを前記記憶部に記憶させることを特徴とする。
【００１６】
また、この発明の移動通信システムは、上述のいずれかの移動通信システムであって、前記基地局装置の差分基地局情報生成部は、前記ハンドオーバー要求の要求元の移動局装置の種別情報を取得し、前記第２のリストは、該種別情報に基づき選択された基地局装置に関する周辺基地局情報を示すリストであることを特徴とする。
【００１７】
また、この発明の移動通信システムは、上述のいずれかの移動通信システムであって、前記削除情報は、前記周辺基地局識別子に基づき基地局装置に割り当てられた各ビットにより、削除もしくは非削除を指示することを特徴とする。
【００１８】
また、この発明のハンドオーバー方法は、移動局装置と基地局装置とを備える移動通信システムにおけるハンドオーバー方法において、前記基地局装置が、前記移動局装置の当該基地局装置へのハンドオーバー要求を受信する第１の過程と、前記基地局装置が、前記第１の過程にて受信した前記ハンドオーバー要求を契機として、所定の規則に基づき、前記ハンドオーバー要求の要求元の移動局装置が測定対象としている基地局装置を示す第１のリストの各基地局装置に対して周辺基地局識別子を割り当て、該第１のリストと前記移動局装置が測定すべき基地局装置を示す第２のリストとの差分を表す差分基地局情報であって、前記周辺基地局識別子を用いた前記移動局装置向けの差分基地局情報を生成する第２の過程と、前記基地局装置が、前記第２の過程にて生成した前記差分基地局情報を送信する第３の過程と、前記移動局装置が、前記第３の過程にて前記基地局装置が送信した差分基地局情報を受信する第４の過程と、前記移動局装置が、前記所定の規則に基づき、前記第１のリストの各基地局装置に関する周辺基地局情報に対して周辺基地局識別子を割り当て、該周辺基地局識別子と、前記差分基地局情報とに基づいて記憶部が記憶する前記第１のリストの周辺基地局情報を前記第２のリストの周辺基地局情報に更新する第５の過程と、前記移動局装置が、前記記憶部が記憶する周辺基地局情報に基づき、各周辺基地局装置からの信号を測定する第６の過程とを具備することを特徴とする。
【００１９】
また、この発明の基地局装置は、移動局装置の当該基地局装置へのハンドオーバー要求を受信する受信部と、受信した前記ハンドオーバー要求を契機として、所定の規則に基づき、前記ハンドオーバー要求の要求元の移動局装置が測定対象としている基地局装置を示す第１のリストの各基地局装置に対して周辺基地局識別子を割り当て、該第１のリストと前記移動局装置が測定すべき基地局装置を示す第２のリストとの差分を表す差分基地局情報であって、前記周辺基地局識別子を用いた前記移動局装置向けの差分基地局情報を生成する差分基地局情報生成部と、生成した前記差分基地局情報を送信する送信部とを具備することを特徴とする。
【００２０】
また、この発明の移動局装置は、測定対象としている基地局装置を示す第１のリストの周辺基地局情報を記憶する記憶部と、前記基地局装置が送信した差分基地局情報を受信する受信部と、所定の規則に基づき、前記第１のリストの各基地局装置に関する周辺基地局情報に対して周辺基地局識別子を割り当て、該周辺基地局識別子と、前記差分基地局情報とに基づいて前記記憶部が記憶する第１のリストの周辺基地局情報を前記第２のリストの周辺基地局情報に更新する周辺基地局情報更新部と、前記記憶部が記憶する周辺基地局情報に基づき、各基地局装置からの信号を測定する周辺基地局測定部とを具備することを特徴とする。
【００２１】
また、この発明のプログラムは、基地局装置が具備するコンピュータを、移動局装置の当該基地局装置へのハンドオーバー要求を受信する受信部、受信した前記ハンドオーバー要求を契機として、所定の規則に基づき、前記ハンドオーバー要求の要求元の移動局装置が測定対象としている基地局装置を示す第１のリストの各基地局装置に対して周辺基地局識別子を割り当て、該第１のリストと前記移動局装置が測定すべき基地局装置を示す第２のリストとの差分を表す差分基地局情報であって、前記周辺基地局識別子を用いた前記移動局装置向けの差分基地局情報を生成する差分基地局情報生成部、生成した前記差分基地局情報を送信する送信部として動作させる。
【００２２】
また、この発明のプログラムは、周辺基地局情報を記憶する記憶部を具備する移動局装置のコンピュータを、前記基地局装置が送信した差分基地局情報を受信する受信部、所定の規則に基づき、前記第１のリストの各基地局装置に関する周辺基地局情報に対して周辺基地局識別子を割り当て、該周辺基地局識別子と、前記差分基地局情報とに基づいて記憶部が記憶する第１のリストの周辺基地局情報を前記第２のリストの周辺基地局情報に更新する周辺基地局情報更新部、前記記憶部が記憶する周辺基地局情報に基づき、各基地局装置からの信号を測定する周辺基地局測定部として動作させる。
【発明の効果】
【００２３】
この発明によれば、基地局装置は、予め決められた規則に基づき割り当てた周辺基地局識別子に基づいて周辺基地局情報を指定する差分基地局情報を送信し、移動局装置は、上述の規則に基づき割り当てた周辺基地局識別子を用いて、受信した差分基地局情報を記憶部に反映させる。このため、移動局装置の記憶部が保持する周辺基地局情報を容易かつ適切に更新可能であり、かつ、更新の際に用いる無線リソースの消費を抑制することができる。
【発明を実施するための最良の形態】
【００２４】
図１は、本発明の実施形態において使用する無線フレームの構成の一例を示す図である。図１では、横軸に時間軸をとっており、縦軸に周波数軸をとっている。無線フレームは、周波数軸を複数のサブキャリアの集合で構成される一定の周波数領域（ＢＲ）と、一定の送信時間間隔（スロット）で構成される領域を一単位として構成されている。
また、１スロットの整数倍から構成される送信時間間隔をサブフレームと呼ぶ。更に、複数のサブフレームをまとめたものをフレームと呼ぶ。図１では、１サブフレームが２スロットから構成される場合を示している。この一定の周波数領域（ＢＲ）と１スロット長で区切られた領域を、基地局装置から移動局装置に対する下りの信号ではリソースブロックと呼び、移動局装置から基地局装置に対する上りの信号ではリソースユニットと呼ぶ。
図１中のＢＷはシステム帯域幅を示しており、ＢＲはリソースブロック（またはリソースユニット）の帯域幅を示している。
【００２５】
次に、本発明の実施形態で使用する物理チャネルとその役割について説明する。物理チャネルは、データチャネルと制御チャネルとに分けられる。制御チャネルには、同期チャネル、報知情報チャネル、ランダムアクセスチャネル、下りリファレンスシグナル、上りリファレンスシグナル、下り共用制御チャネル、上り共用制御チャネルがある。このうち、本発明に関わる物理チャネルについて以下に説明する。
同期チャネルＳＣＨ（Ｓｙｎｃｈｒｏｎｉｚａｔｉｏｎ  Ｃｈａｎｎｅｌ）は、基地局装置と移動局装置が無線同期を取るため、基地局装置から既知の信号を用いて、所定の時間間隔および周波数領域で送信する下りチャネルである。
報知情報チャネルは、特定の移動局装置向けではなく、ある基地局装置と無線接続が可能な通信範囲内に位置する移動局装置が共通して使用する情報（報知情報）を送信するための下りチャネルである。移動局装置は報知情報チャネルによって周辺基地局装置の情報などを取得する。この報知情報チャネルを使用して信号を送信するのは基地局装置である。
【００２６】
ランダムアクセスチャネルＲＡＣＨ（Ｒａｎｄｏｍ  Ａｃｃｅｓｓ  Ｃｈａｎｎｅｌ）は、移動局装置が使用可能な無線リソースがスケジューリングされていない場合での上り送信を行うために使用される上りチャネルである。使用するのは移動局装置のみである。ランダムアクセスチャネルＲＡＣＨは、互いに直交するデータ系列を用意し、この直交データ系列を送信することによって、例え送信タイミングが同一であっても、異なるデータ信号系列であれば基地局装置にて受信信号を分離可能としている。前記の直交データ系列をシグネチャ、シグネチャから構成される信号をプリアンブルと呼び、基地局装置が移動局装置を識別するために使用される。ＥＵＴＲＡにおいて、ランダムアクセスチャネルＲＡＣＨは、移動局装置の位置登録、ハンドオーバー先の基地局装置へのハンドオーバー通知、無線リソースの要求、間欠送信時におけるデータ送信、上り無線同期の維持などを目的として使用されることが検討されており、更にランダムアクセスチャネルＲＡＣＨで前記使用目的やＣＱＩ（Channel Quality Indicator：品質情報指標）を基地局装置に通知し、以降のリソース割当やスケジューリングを最適化することも検討されている。
【００２７】
下りリファレンスシグナルＤＬ−ＲＳ（Ｄｏｗｎｌｉｎｋ  Ｒｅｆｅｒｅｎｃｅ  Ｓｉｇｎａｌ）は、基地局装置から移動局装置へ下りチャネルを利用して送信される。移動局装置は下りリファレンスシグナルを測定することで下りの受信品質を判定する。受信品質は、品質情報指標であるＣＱＩとして上り共用制御チャネルを用いて基地局装置へ通知される。基地局装置は移動局装置から通知されたＣＱＩに基づいて、移動局装置に対する下りのスケジューリングを行う。なお、受信品質としてはＳＩＲ（Ｓｉｇｎａｌ−ｔｏ−Ｉｎｔｅｒｆｅｒｅｎｃｅ  Ｒａｔｉｏ：信号電力対干渉電力比）、ＳＩＮＲ（Ｓｉｇｎａｌ−ｔｏ−Ｉｎｔｅｒｆｅｒｅｎｃｅ  ｐｌｕｓ  Ｎｏｉｓｅ  Ｒａｔｉｏ：信号電力対干渉及び雑音電力比）、ＳＮＲ（Ｓｉｇｎａｌ−ｔｏ−Ｎｏｉｓｅ  Ｒａｔｉｏ：信号電力対雑音電力比）、ＣＩＲ（Ｃａｒｒｉｅｒ−ｔｏ−Ｉｎｔｅｒｆｅｒｅｎｃｅ  Ｒａｔｉｏ：搬送波電力対干渉電力比）、ＢＬＥＲ（Ｂｌｏｃｋ  Ｅｒｒｏｒ  Ｒａｔｅ：ブロック誤り率）、またはパスロスなどを使用することができる。
【００２８】
上りリファレンスシグナルＵＬ−ＲＳ（Ｕｐｌｉｎｋ  Ｒｅｆｅｒｅｎｃｅ  Ｓｉｇｎａｌ）は、移動局装置から基地局装置へ上りチャネルを利用して送信される。基地局装置は上りリファレンスシグナルＵＬ−ＲＳを測定することで、移動局装置の上り無線送信信号の受信品質を判定する。基地局装置は、受信品質に基づいて上りのスケジューリングを行う。上りリファレンスシグナルＵＬ−ＲＳは、上りデータチャネルの振幅、位相や周波数の変動量の計算に用いられ、上りデータチャネルを利用して送信された信号を復調するための参照信号としても使用される。
【００２９】
下り共用制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ：ＰＤＣＣＨ）は、基地局装置から移動局装置へ送信される下りチャネルであり、複数の移動局装置に対して共通に使用される。基地局装置は、送信タイミング情報やスケジュール情報（上り／下りリソース割当て情報）の送信に下り共用制御チャネルを用いる。
上り共用制御チャネルＰＵＣＣＨ（Ｐｈｙｓｉｃａｌ  Ｕｐｌｉｎｋ  Ｃｏｎｔｒｏｌ  Ｃｈａｎｎｅｌ：ＰＵＣＣＨ）は、移動局装置から基地局装置への信号の送信に利用される上りチャネルである。移動局装置は、品質情報指標（ＣＱＩなど）、ＨＡＲＱ（Hybrid Auto Repeat Request：ハイブリッドＡＲＱ）、ＡＣＫ／ＮＡＣＫ（Acknowledge/Not Acknowledge）などの情報を基地局装置に通知するために、上り共用制御チャネルを用いる。
【００３０】
［第１の実施の形態］
本発明の第１の実施形態について以下、図を参照して説明する。図２は、本発明の第１の実施形態による移動局装置１０の構成を示す概略ブロック図である。移動局装置は、受信部１１、スケジュール部１２、復号部１３、制御信号処理部１４、チャネル測定部１５、基地局情報管理部１６、ＣＱＩ計算部１７、符号部１８、ランダムアクセス制御部１９、チャネル変調部２０、送信電力制御部２１、送信部２２、上位レイヤ処理部２３、チャネル復調部２４、周辺基地局情報記憶部２５、周辺基地局計測部２６を具備する。
【００３１】
受信部１１は、図示しないアンテナを介して受信信号（基地局装置からの送信信号）を受信して、ベースバンド信号にダウンコンバートする。このベースバンド信号はチャネル復調部２４と周辺基地局計測部２６へと送られる。チャネル復調部２４は、スケジュール部１２より入力されるスケジューリング情報を基に、このベースバンド信号を復調して、データチャネル、制御チャネル、下りリファレンスシグナルＤＬ−ＲＳに分類する。分類された各チャネルは、データチャネルであれば復号部１３へ、制御チャネルであれば制御信号処理部１４へ、下りリファレンスシグナルＤＬ−ＲＳであればチャネル測定部１５へと出力される。なお、前記以外のチャネルの場合、それぞれ他のチャネル制御部へと出力されるが、ここでは省略する。周辺基地局計測部２６は、受信信号より同期チャネルＳＣＨを検出し、周辺の基地局装置の情報（基地局ＩＤグループ、フレームタイミングなど）を得る。得られた情報は上位レイヤ処理部２３へ送信される。
【００３２】
復号部１３は、データチャネルの信号を復号してユーザデータを取り出し、上位レイヤ処理部２３へ出力する。制御信号処理部１４は制御データを取り出して上位レイヤ処理部２３へと出力する。取り出された制御データに、周辺基地局情報が含まれている場合、周辺基地局情報は基地局情報管理部１６へ出力される。基地局情報管理部１６は、周辺基地局情報を周辺基地局情報記憶部２５に格納し、後述する周辺基地局管理テーブルを生成して上位レイヤ処理部２３に通知する。また、制御信号処理部１４は、制御チャネルに含まれるスケジューリング情報をスケジュール部１２へ出力する。チャネル測定部１５は、下りリファレンスシグナルＤＬ−ＲＳの受信品質を測定し、測定データとして上位レイヤ処理部２３へ出力すると共に、ＣＱＩ計算部１７に前記受信品質を出力する。
【００３３】
ＣＱＩ計算部１７は、チャネル測定部１５から受けた受信品質からＣＱＩを計算してＣＱＩ値として上位レイヤ処理部２３へ出力する。なお、ＣＱＩ計算部１７におけるＣＱＩの計算方法として、時間方向について、下りリファレンスシグナルＤＬ−ＲＳの瞬時値から毎回求める方法と、ある一定の受信時間を平均して求める方法があるが、どちらを用いても良い。更に、周波数方向について、下りリファレンスシグナルＤＬ−ＲＳ単位で求める方法と、ある受信帯域に亘って、すなわち複数サブキャリアの下りリファレンスシグナルＤＬ−ＲＳの受信品質を平均して求める方法があるが、どちらを用いても良い。また、前記以外のＣＱＩ計算方法を用いてもよい。
【００３４】
一方、上位レイヤ処理部２３からはユーザデータと制御データが符号部１８に入力され、これらのデータを符号部１８は符号化する。ここで、制御データには、上りリファレンスシグナルＵＬ−ＲＳと上り共用制御チャネルＰＵＣＣＨのデータを含む。また、上位レイヤ処理部２３からスケジュール部１２へスケジューリング情報が入力される。このスケジューリング情報には、上りチャネル及び下りチャネルに関する送受信のタイミングや多重方法、変調または復調情報が含まれている。また、ランダムアクセスチャネルＲＡＣＨの送信時は、上位レイヤ処理部２３からランダムアクセス制御部１９に必要なランダムアクセス情報が入力され、ランダムアクセス制御部１９がプリアンブルの選択を行った後に、符号部１８が符号化する。
【００３５】
符号部１８が各データを符号化して生成した各送信データは、チャネル変調部２０に入力される。チャネル変調部２０は、スケジュール部１２から入力されるスケジューリング情報に従って、符号部１８からの送信データを適切な変調方式で変調処理する。送信電力制御部２１は、スケジュール部１２の指示に従って各チャネルに適切な電力制御を行う。チャネル変調部２０が送信データを変調したデータは送信部２２に入力される。送信部２２は、送信電力制御部２１により送信電力を制御され、変調されたデータをアップコンバートした送信信号を、図示しないアンテナを介して送信する。なお、その他の移動局装置１０の構成要素は、本発明に特に関係ないため省略してある。また、各ブロックの動作は、上位レイヤ処理部２３によって統括的に制御される。上位レイヤ処理部２３の詳細は、図１０にて説明する。
【００３６】
図３は、本実施形態による基地局装置３０の構成を示す概略ブロック図である。基地局装置３０は、受信部３１、スケジュール部３２、復号部３３、制御信号処理部３４、チャネル測定部３５、ハンドオーバー制御処理部３６、周辺基地局情報処理部３７、ＣＱＩ計算部３８、符号部３９、チャネル変調部４０、送信電力制御部４１、送信部４２、上位レイヤ処理部４３、チャネル復調部４４を具備する。
受信部３１は、図示しないアンテナを介して受信信号（移動局装置、及び他の基地局装置からの送信信号）を受信して、ベースバンド信号にダウンコンバートする。このベースバンド信号は、チャネル復調部４４へと送られる。チャネル復調部４４は、スケジューリング情報を基に、ベースバンド信号を、データチャネル、制御チャネル、上りリファレンスシグナルＵＬ−ＲＳに分けて、それぞれを復調する。
【００３７】
復調された各データは、データチャネルであれば復号部３３へ、制御チャネルであれば制御信号処理部３４へ、上りリファレンスシグナルＵＬ−ＲＳであればチャネル測定部３５へと出力される。復号部３３は、データチャネル内のユーザデータの復号処理を行い上位レイヤ処理部４３へ出力する。制御信号処理部３４は、制御チャネル内の制御データを取り出して上位レイヤ処理部４３へと出力する。このとき、制御データにハンドオーバー制御データが含まれていたときは、制御信号処理部３４は、ハンドオーバー制御データをハンドオーバー制御処理部３６へ出力する。
【００３８】
ハンドオーバー制御処理部３６は、入力されたハンドオーバー制御データが、基地局装置間のハンドオーバー要求メッセージであるか、移動局装置からのハンドオーバー完了メッセージであるかを識別する。ハンドオーバー制御データがハンドオーバー要求であるとき、ハンドオーバー制御処理部３６は、ハンドオーバー元の基地局装置の基地局ＩＤ（基地局識別番号）を取得し、さらにハンドオーバー制御処理部３６が該基地局ＩＤと対応付けて記憶しているハンドオーバー元周辺基地局の基地局ＩＤを取得し、周辺基地局情報処理部３７へ、この上位レイヤ処理部４３から入力される自局周辺基地局情報の基地局ＩＤとこのハンドオーバー元周辺基地局の基地局ＩＤとの比較による差分基地局情報の生成を指示する。ハンドオーバー完了メッセージであるときは、ハンドオーバー制御処理部３６は、周辺基地局情報処理部３７で生成した差分基地局情報を、符号部３９へ入力するよう指示する。なお、周辺基地局情報処理部３７の詳細については、図７にて説明する。
【００３９】
また、制御信号処理部３４は、スケジューリングの制御に関連する制御データを、チャネル復調部４４と復号部３３の各ブロックへ出力する。チャネル測定部３５は、上りリファレンスシグナルＵＬ−ＲＳから受信品質を測定し、測定データとして上位レイヤ処理部４３へ出力すると共に、ＣＱＩ計算部３８に前記受信品質を出力する。ＣＱＩ計算部３８は、受信品質からＣＱＩを計算してＣＱＩ値として上位レイヤ処理部４３へ出力する。また、チャネル測定部３５は、上りリファレンスシグナルＵＬ−ＲＳをチャネル復調用の参照データとしてチャネル復調部４４にも出力する。
【００４０】
一方、上位レイヤ処理部４３からの送信要求を契機として、ユーザデータと制御データが符号部３９に入力される。この制御データには、同期チャネルや報知情報チャネル、下りリファレンスシグナルＤＬ−ＲＳ、下り共用制御チャネルＰＤＣＣＨが含まれる。また、上位レイヤ処理部４３よりスケジュール部３２へスケジューリング情報が入力される。符号部３９は、ユーザデータと制御データとを符号化して、チャネル変調部４０に入力する。チャネル変調部４０は、スケジュール部３２から入力されるスケジューリング情報に従って、符号化された各データを適切な変調方式で変調処理する。送信電力制御部４１は、スケジュール部３２の指示に従って各チャネルに適切な電力制御を行う。チャネル変調部４０で変調されたデータは送信部４２に入力され、送信電力制御部４１から電力制御されて送信される。なお、その他の基地局装置の構成要素は、本発明に特に関係ないため省略してある。また、各ブロックの動作は、上位レイヤ処理部４３によって統括的に制御される。上位レイヤ処理部４３の詳細は、図９にて説明する。
【００４１】
基地局装置３０及び移動局装置１０は、管理上必要な論理的な番号である基地局管理番号（周辺基地局識別子）を、基地局装置３０と移動局装置１０とで同じ規則（ここでは、基地局ＩＤの順番）に基づいて周辺基地局情報に対して割り振り、基地局管理番号と基地局管理番号に対応する周辺基地局情報とを１セットとして、複数セットからなる周辺基地局情報のテーブル（周辺基地局管理テーブル）を生成する。移動局装置１０は、この周辺基地局管理テーブルを一つ生成し、基地局装置３０は、この周辺基地局管理テーブルを、通信中の移動局装置１０毎、または同じ周辺基地局管理テーブルを保持する移動局装置のグループ毎に生成する。基地局装置３０及び移動局装置１０が保持する周辺基地局管理テーブルは、図２７に示したものと同様のテーブル構成でよい。
【００４２】
例えば、３２セットの周辺基地局情報を保持する場合、周辺基地局装置の基地局ＩＤの昇順（または降順）に基づいて１〜３２までの基地局管理番号が各周辺基地局情報に対して割り振られる。移動局装置１０は、基地局装置３０から周辺基地局情報を取得し、また、基地局装置３０の追加／削除の指示によって周辺基地局管理テーブルを更新する。この方法によって、基地局装置３０は基地局管理番号を移動局装置に明示しなくても、移動局装置１０の周辺基地局管理テーブルを常に把握することが可能となる。
ここで、周辺基地局情報には、基地局ＩＤ、アンテナ本数、送信電力情報、ダイバーシティ情報、測定オフセット情報などが含まれる。
【００４３】
図４は、本実施形態における、ハンドオーバー時の周辺基地局情報の更新手順を示したシーケンス図である。移動局装置１０が基地局装置３０ａと通信を行っている状態から開始し、基地局装置３０ｂへハンドオーバーする制御を示したものである。ここで、基地局装置３０ａ、３０ｂは、図３にて説明した基地局装置３０と同様の基地局装置である。移動局装置１０は、周辺基地局管理テーブル生成処理にて周辺基地局管理テーブルを生成する（Ｓａ１）。ただし、基地局管理番号は、従来方式のように基地局装置３０ａから割り振られるものではなく、移動局装置１０が周辺基地局情報に含まれる基地局装置の基地局ＩＤの昇順（または降順）に割り振るものとする。すなわち、基地局管理番号は基地局装置３０ａ、３０ｂからは通知されない。移動局装置１０は、基地局ＩＤを昇順（または降順）に並べ替え、ＩＤ番号の小さいもの（降順の場合は大きいもの）から順番に、連続した基地局管理番号を割り振る。なお、上述の周辺基地局管理テーブル生成処理は基地局情報管理部１６が実施する。また、周辺基地局情報は、報知情報より取得しても、基地局装置３０ａから個別に通知されてもよい。このように、基地局装置３０ａは、移動局装置１０が保持している基地局管理情報を基地局ＩＤの順番から暗黙的に知ることが可能であるため、移動局装置毎に基地局管理情報を管理する必要がなくなる。
【００４４】
続いて、移動局装置１０は、周辺基地局管理テーブルに基づき、基地局装置３０ａと基地局装置３０ｂを含む周辺基地局装置の測定を行う。測定結果は、測定報告メッセージとして基地局装置３０ａへ通知する（Ｓａ２）。なお、測定報告メッセージにハンドオーバー要求を示す制御情報が含まれていても良い。基地局装置３０ａは、前記測定報告メッセージの内容から基地局装置３０ｂへのハンドオーバーが必要であると判断したとき、基地局装置３０ａから基地局装置３０ｂへハンドオーバー要求メッセージにて移動局装置１０のハンドオーバーの必要性を通知し、ハンドオーバーのための準備を要求する（Ｓａ３）。基地局装置３０ｂにて、ハンドオーバーが実行可能と判断した場合、ハンドオーバー要求許可メッセージを基地局装置３０ａに通知し（Ｓａ４）、更に基地局装置３０ａから移動局装置１０に対してハンドオーバー指示メッセージを通知すると（Ｓａ５）、移動局装置１０は、基地局装置３０ｂと通信可能となるように通信パラメータを設定するハンドオーバー処理を実施する（Ｓａ６）。
【００４５】
ハンドオーバー処理が完了した移動局装置１０は、基地局装置３０ｂに対してハンドオーバー完了メッセージを送信する（Ｓａ７）。ハンドオーバー完了メッセージを受信した基地局装置３０ｂは、移動局装置１０が基地局装置３０ｂと通信を行う場合に必要な差分基地局情報が含まれた測定制御情報メッセージを移動局装置１０に通知し（Ｓａ８）、ハンドオーバーを完了する。この測定制御情報メッセージを生成する際に、基地局装置３０ｂは、移動局装置１０が基地局装置３０ａからハンドオーバーしたことを知っているため、移動局装置１０が保持している周辺基地局情報、すなわち基地局装置３０ａより取得した基地局ＩＤの順番と、その基地局管理番号との対応付けを暗黙的に把握することが可能なため、基地局装置３０ｂでは測定不要な周辺基地局装置の周辺基地局情報の削除を、基地局管理番号で指定する。移動局装置１０は、周辺基地局管理テーブル更新処理にて、受信した測定制御情報メッセージ内の差分基地局情報を元に周辺基地局管理テーブルの更新を行う。
【００４６】
図５（ａ）、（ｂ）は、図４におけるシーケンスＳａ８において基地局装置３０ｂから移動局装置１０に通知される差分基地局情報のデータ構造の一例を示したものである。図５（ａ）は、周辺基地局情報として、削除する基地局情報をビットマップ形式で指定した削除基地局ビットマップ情報が含んだデータ構造である。ビットマップ形式のビット数は、移動局装置１０が記憶している周辺基地局情報の数と一致する数である。図５（ｂ）は、周辺基地局情報として、削除する基地局情報を従来どおり基地局管理番号で指定したデータ構造である。また、図５（ａ）、（ｂ）どちらも削除する基地局情報を指定する領域に続いて、新規に測定する必要のある基地局装置の基地局情報である追加基地局情報が必要数分格納されている。
【００４７】
図５（ａ）における削除基地局ビットマップ情報の一例を図６に示す。削除基地局ビットマップ情報のビット位置と、移動局装置１０の周辺基地局管理テーブルにおける基地局管理番号は一対一に対応している。すなわち、周辺基地局管理テーブルに、例えば１５セットの周辺基地局情報を格納し、１〜１５の基地局管理番号を用いているときには、削除基地局ビットマップ情報として１５ビットが必要である。基地局装置３０ｂは、移動局装置１０から削除して良い基地局情報のビットを「０」として通知し、逆に保持して欲しい基地局情報のビットは「１」として通知する。なお、削除を示すビットが「１」であり、保持を示すビットが「０」であっても良い。移動局装置１０は、基地局情報の追加と削除を行った後、再度基地局ＩＤ順に基地局管理番号を割り振る。そのため、基地局装置３０ｂにおいても、同様に再度基地局ＩＤ順に基地局管理番号を割り振ることで、基地局装置３０ｂは、移動局装置１０の基地局ＩＤと基地局管理番号との対応付けを把握する。
【００４８】
図７は、基地局装置３０における周辺基地局情報処理部３７の詳細な処理について説明するための図である。周辺基地局情報処理部３７は、差分抽出処理部５０と基地局情報変換部５１と周辺基地局情報生成部５２とを具備する。差分抽出処理部５０には、上位レイヤ処理部４３から自局周辺基地局情報（第２のリスト）が入力され、ハンドオーバー制御処理部３６よりハンドオーバー元周辺基地局情報（第１のリスト）が入力される。差分抽出処理部５０は、入力された２つのリストを比較し、ハンドオーバー元周辺基地局にあって自局周辺基地局にない不要な基地局装置の基地局ＩＤを削除基地局情報として基地局情報変換部５１へと出力する。また、差分抽出処理部５０は、自局周辺基地局情報に含まれているが、ハンドオーバー元周辺基地局の基地局ＩＤに含まれていない基地局ＩＤの基地局情報を追加基地局情報として出力する。
【００４９】
基地局情報変換部５１は、差分抽出処理部５０から受けた削除基地局情報を、移動局装置１０の基地局管理番号との対応付けにより変換し、削除基地局管理番号情報を出力する。このとき、削除基地局管理番号情報は、図５（ａ）に示した削除基地局ビットマップ情報であってもよいし、図５（ｂ）に示した基地局管理番号を列記したままであってよい。次に、基地局情報変換部５１より出力された削除基地局管理番号情報と、先の追加基地局情報とをマージした情報を基に、周辺基地局情報生成部５２は、差分基地局情報を生成する。
【００５０】
移動局装置１０における周辺基地局管理テーブルの更新方法の一例を図８（ａ）〜（ｃ）に示す。図８（ａ）は、移動局装置１０における周辺基地局管理テーブルの一例であり、基地局ＩＤが３、６、１２、７７、１００、１３４の６つの基地局情報が、基地局管理番号１〜６に割り当てられていることを示している。残りの基地局管理番号は使用されていない。このとき、移動局装置１０がハンドオーバーを行い、ハンドオーバー先の基地局装置３０ｂから図８（ｂ）で示すように、削除する周辺基地局情報がビットマップ形式で指定された差分基地局情報が、移動局装置１０へ通知されたとする。図８（ｂ）は、削除対象となる基地局管理番号として「２、４、５」を指定し、保持する基地局管理番号として「１、３、６」を指定している削除基地局ビットマップ情報が通知されたことを示している。すなわち、この削除基地局ビットマップ情報基地局管理番号「２、４、５」に対応する基地局ＩＤ「６、７７、１００」の削除が通知され、保持する基地局管理番号として「３、１２、１３４」が通知されたことを示している。さらに、追加基地局ＩＤとして、「５１、２３３、５１０」が通知された例を示している。
【００５１】
なお、対応する基地局情報は説明を簡略化するため省略してある。なお、基地局管理番号７以降は当該移動局装置にて使用されていない番号であるため、該当ビットはない。図８（ｃ）は、図８（ｂ）で通知された削除基地局ビットマップ情報に従って、該当ビットの基地局情報を先に削除し、その後、同時に通知された追加基地局情報を加え、基地局ＩＤ順に並べなおした周辺基地局管理テーブルである。
図８（ａ）〜（ｃ）は、削除処理の後に追加処理を行った場合の例を示したが、この処理の順番が逆の場合は意図した通りに周辺基地局情報管理テーブルの更新がなされない。よって、追加と削除のどちらを先に処理するかは当該移動通信システムで一意に決まっているか、基地局装置３０ｂより処理順番を報知情報、またはハンドオーバー指示メッセージなどを用いて事前に通知する。
【００５２】
図９は、基地局装置における、ハンドオーバー時の差分基地局情報の作成手順を示したフローチャート図である。本フローチャート図は、基地局装置３０ｂがハンドオーバー元基地局装置３０ａよりハンドオーバー要求を受信した時点から開始される（Ｓｂ１）。まず、基地局装置３０ｂの上位レイヤ処理部４３は、制御信号処理部３４から制御データとしてハンドオーバー要求を受けると、要求されたハンドオーバーが可能であるかの判定処理を行う（Ｓｂ２）。この判定は、例えば、基地局装置３０ｂの収容数および負荷に余裕が有るか否かで行う。このステップＳｂ２で、例えば、収容局数もしくは負荷に余裕がなくハンドオーバーが不適切だと判定したとき（Ｓｂ２−Ｎｏ）は、上位レイヤ処理部４３は、ハンドオーバー要求却下を制御データとして符号部３９に出力して、ハンドオーバー元の基地局装置３０ａに通知して（Ｓｂ３）終了する。
【００５３】
一方、基地局装置３０ｂは、ステップＳｂ２でハンドオーバーが可能だと判定したとき（Ｓｂ２−Ｙｅｓ）は、上位レイヤ処理部４３は、ハンドオーバー要求許可を制御データとして符号部３９に出力して、ハンドオーバー元基地局装置に通知する（Ｓｂ４）。また、ハンドオーバー制御処理部３６は、制御信号処理部３４から受けたハンドオーバー要求よりハンドオーバー元基地局装置３０ａの基地局ＩＤを取得し（Ｓｂ５）、該基地局ＩＤに対応付けてハンドオーバー制御処理部３６が記憶している該基地局ＩＤの基地局装置がハンドオーバー元のときに移動局装置１０が保持している周辺基地局情報を読み出す。次に、周辺基地局情報処理部３７は、ステップＳｂ５にてハンドオーバー制御処理部３６が読み出した基地局ＩＤの周辺基地局情報と、上位レイヤ処理部４３から受けた自局周辺基地局情報との差分を取ることで、追加基地局情報と削除基地局情報とを抽出する（Ｓｂ６）。また、周辺基地局情報処理部３７は、抽出した追加基地局情報と削除基地局情報とに基づいた差分基地局情報を生成し（Ｓｂ７）、生成後は、ハンドオーバー完了が移動局装置１０より通知されるのを待つ（Ｓｂ８）。
【００５４】
移動局装置１０からハンドオーバー完了が通知され、該ハンドオーバー完了を含んだハンドオーバー制御データを制御信号処理部３４から受けたハンドオーバー制御処理部３６が、ハンドオーバー完了を検出して、差分基地局情報の出力を周辺基地局情報処理部３７に指示すると、周辺基地局情報処理部３７は、生成した差分基地局情報を符号部３９に出力して、移動局装置１０に送信して（Ｓｂ９）、処理を終了する。
【００５５】
図１０は、移動局装置１０における、ハンドオーバー時の周辺基地局情報の更新手順を示したフローチャート図である。本フローチャート図は、移動局装置１０がハンドオーバー元基地局装置３０ａにおける周辺基地局情報を取得し、周辺基地局管理テーブルを作成済みの状態から開始される。移動局装置１０の周辺基地局計測部２６は、周辺基地局情報記憶部２５が記憶している周辺基地局情報を用いて、周辺基地局装置の信号を計測する。この計測結果を受けた上位レイヤ処理部２３は、この測定結果を符号部１８に出力して、基地局装置３０ａに通知するための測定報告を行っている（Ｓｃ１）。移動局装置１０の上位レイヤ処理部２３は、ハンドオーバー指示が基地局装置３０ａより通知されて、制御信号処理部１４から制御データとして入力されたかの確認処理を行い（Ｓｃ２）、ハンドオーバー指示が通知されないときは（Ｓｃ２−Ｎｏ）、ステップＳｃ１に戻り、周辺基地局計測部２６は周辺基地局装置の信号を計測し、上位レイヤ処理部２３はその測定結果の測定報告処理を継続する。
【００５６】
一方、ステップＳｃ２にて、ハンドオーバー指示が通知されたときは（Ｓｃ２−Ｙｅｓ）、上位レイヤ処理部２３は、ハンドオーバー指示に従い、ハンドオーバー処理を開始する（Ｓｃ３）。ハンドオーバー中は、上位レイヤ処理部２３は、ハンドオーバーが完了したかの判定を行う（Ｓｃ４）。ハンドオーバーが完了した場合は（Ｓｃ４−Ｙｅｓ）、上位レイヤ処理部２３は、ハンドオーバー完了報告を生成し、このハンドオーバー完了報告を符号部１８に出力して、ハンドオーバー先基地局装置３０ｂへ送信する（Ｓｃ５）。ハンドオーバー完了報告を受信した基地局装置３０ｂは、測定制御情報として差分基地局情報を通知するので、移動局装置１０の制御信号処理部１４は、受信した制御チャネルからこの差分基地局情報を抽出する（Ｓｃ６）。この差分基地局情報に従って、基地局情報管理部１６は、周辺基地局情報記憶部２５の周辺基地局管理テーブルを更新し（Ｓｃ７）、処理を終了する。
なお、移動局装置１０が初期セル選択後などで、周辺基地局情報管理テーブルを持っていない場合、基地局情報管理部１６は、差分基地局情報中の削除基地局ビットマップ情報は無視し、追加基地局情報のみを処理する。
【００５７】
なお、本実施形態において、基地局装置３０ａ、３０ｂ間にて通信するハンドオーバー要求とハンドオーバー要求許可／要求却下とは、送信部４２にて送信され、受信部３１にて受信されるとして説明したが、基地局装置３０ａ、３０ｂを接続するその他の通信手段を基地局装置３０ａ、３０ｂが具備しており、該通信手段にて送受信するようにしてもよい。
【００５８】
以上、ハンドオーバー手順における周辺基地局情報管理テーブルの更新方法について説明したが、セル再選択手順であっても同様の更新方法を使用することが出来る。
本実施の形態において、移動局装置と基地局装置は、同じ規則を用いて、基地局ＩＤに基づいて基地局管理番号を割り振る。そのため、基地局装置間での移動局装置の基地局管理番号のやり取りも必要なくなり、基地局装置の処理量と、基地局管理番号を保持するメモリ容量とを削減することが可能となり、基地局装置の回路規模を削減できる。また、移動局装置に基地局管理番号を通知する必要がなくなるため、測定制御情報に含まれる周辺基地局情報の情報量が削減され、無線リソースの消費を低減することが可能である。また、移動局装置においても周辺基地局情報の管理が簡潔となり、回路規模が削減され、消費電力が低減する。また、基地局装置から移動局装置に周辺基地局情報の更新を指示する際に、周辺基地局情報の更新内容に制限がないため、適切な更新が可能である
【００５９】
［第２の実施形態］
本発明の第２の実施形態について、以下に説明する。第１の実施形態は、基地局装置から送信される測定制御情報の情報量を削減しつつ、周辺基地局装置の管理を簡略化する方法を示した。しかしながら、第１の実施形態は、追加する周辺基地局情報に関しては従来と同じだけの情報量を必要としていた。そこで、第２の実施形態では、追加する周辺基地局情報を報知情報にて通知し、削除する周辺基地局情報の基地局管理番号のみを基地局装置から個別に通知する方法について示す。
【００６０】
図１１は、本実施形態による移動局装置１１０の構成を示す概略ブロック図である。同図において、図２の各部に対応する部分（１１〜１３、１５、１７〜２２、２４〜２６）には同一の符号を付し、その説明を省略する。本実施形態による移動局装置１１０は、受信部１１、スケジュール部１２、復号部１３、制御信号処理部１１４、チャネル測定部１５、基地局情報管理部１１６、ＣＱＩ計算部１７、符号部１８、ランダムアクセス制御部１９、チャネル変調部２０、送信電力制御部２１、送信部２２、上位レイヤ処理部１２３、チャネル復調部２４、周辺基地局情報記憶部２５、周辺基地局計測部２６を具備する。制御信号処理部１１４は、制御データに当該移動局装置１０に向けて測定制御情報として送信された差分基地局情報、あるいは全移動局装置に向けて報知情報として送信された周辺基地局情報が含まれている場合、これらの情報を基地局情報管理部１１６に出力する。基地局情報管理部１１６は、差分基地局情報、あるいは周辺基地局情報を受けると、これらに従い周辺基地局情報記憶部２５の記憶内容を更新する。上位レイヤ処理部１２３は、ハンドオーバー処理終了後に、基地局情報管理部１１６が周辺基地局情報を周辺基地局情報記憶部２５に格納すると、ハンドオーバー完了メッセージを符号部１８に出力して、ハンドオーバー先の基地局装置に送信する。なお、上位レイヤ処理部１２３の詳細は、図１８にて説明する。
【００６１】
図１２は、本実施形態による基地局装置１３０の構成を示す概略ブロック図である。同図において、図３の各部に対応する部分（３１〜３５、３８〜４２、４４）には同一の符号を付し、その説明を省略する。基地局装置１３０は、受信部３１、スケジュール部３２、復号部３３、制御信号処理部３４、チャネル測定部３５、ハンドオーバー制御処理部１３６、周辺基地局情報処理部１３７、ＣＱＩ計算部３８、符号部３９、チャネル変調部４０、送信電力制御部４１、送信部４２、上位レイヤ処理部１４３、チャネル復調部４４を具備する。ハンドオーバー制御処理部１３６は、入力されたハンドオーバー制御データが、基地局装置間のハンドオーバー要求メッセージであるか、移動局装置からのハンドオーバー完了メッセージであるかを識別する。ハンドオーバー制御データがハンドオーバー要求であるとき、ハンドオーバー制御処理部１３６は、ハンドオーバー元の基地局装置の基地局ＩＤ（基地局識別番号）を取得し、さらに、該基地局ＩＤと対応付けて記憶しているハンドオーバー元周辺基地局の基地局ＩＤを読み出す。次にハンドオーバー制御処理部１３６は、周辺基地局情報処理部１３７へ、差分基地局情報の生成を指示する。ハンドオーバー完了メッセージであるときは、ハンドオーバー制御処理部１３６は、周辺基地局情報処理部１３７に生成した差分基地局情報を、符号部３９へ出力するよう指示する。周辺基地局情報処理部１３７は、差分基地局情報の生成を指示されると、上位レイヤ処理部１４３から入力される自局周辺基地局情報（第３のリスト）とハンドオーバー元周辺基地局とを併せた周辺基地局（第１のリスト）と、ハンドオーバーが禁止されている基地局装置を第１のリストから除いたハンドオーバー先周辺基地局情報（第２のリスト）との比較による差分基地局情報の生成を行い、ハンドオーバー制御処理部１３６の指示に従い、該生成した差分基地局情報を符号部３９へ出力する。なお、このときにハンドオーバー元周辺基地局情報、および自局周辺基地局情報は、基地局装置の容量制限に伴いハンドオーバーが禁止されるなどの理由により、実際に保持している数よりも少ない周辺基地局情報しか使用されない場合がありえる。
【００６２】
周辺基地局情報処理部１３７は、上述のハンドオーバー制御処理部１３６の指示に従い差分基地局情報を生成し、さらに、ハンドオーバー完了メッセージを受けたハンドオーバー制御処理部１３６からの指示を受けて、生成した差分基地局情報を符号部３９に出力して、移動局装置１１０に送信する。なお、周辺基地局情報処理部１３７の詳細については、図１５にて説明する。上位レイヤ処理部１４３は、自局の周辺基地局情報を記憶する自局周辺基地局情報記憶部１４５を具備し、この自局周辺基地局情報記憶部１４５が記憶している自局の周辺基地局情報を報知情報として、すなわち当該基地局装置に属する全移動局装置に宛てて送信する制御データとして定期的に符号部３９に出力して送信させる。その他、上位レイヤ処理部１４３の詳細については、図１７にて説明する。
【００６３】
図１３は、本実施形態におけるハンドオーバー時の周辺基地局情報の更新手順を示したシーケンス図である。移動局装置１１０が、基地局装置１３０ａと通信を行っている状態から開始し、基地局装置１３０ｂへハンドオーバーする制御を示したものである。ここで、基地局装置１３０ａ、１３０ｂは、図１２にて説明した基地局装置１３０と同様の基地局装置である。移動局装置１１０は、ハンドオーバー前に基地局装置１３０ａより報知情報に含まれる周辺基地局情報を受信し（Ｓｄ１）、制御信号処理部１１４から、この受信した周辺基地局情報を受けた基地局情報管理部１１６は、周辺基地局管理テーブル生成処理にて、周辺基地局情報記憶部２５の周辺基地局管理テーブルを生成する（Ｓｄ２）。
【００６４】
ただし、基地局管理番号は、従来方式のように基地局装置１３０ａから割り振られるものではなく、移動局装置１１０が周辺基地局情報に含まれる基地局装置の基地局ＩＤ順に割り振る。すなわち、基地局管理番号は基地局装置１３０ａからは通知されない。移動局装置１１０の基地局情報管理部１１６は、基地局ＩＤを順番に並べ替え、ＩＤ番号の小さいもの、あるいは大きいものから順番に、連続した基地局管理番号を割り振る。このようにすることで、基地局装置１３０ａ、１３０ｂは、移動局装置１１０が保持している基地局管理番号を基地局ＩＤの順番から暗黙的に知ることが可能であるため、移動局装置毎に基地局管理番号を管理する必要がなくなる。
【００６５】
図１３に戻り、続いて、移動局装置１１０の周辺基地局測定部２６は、周辺基地局管理テーブルに基づき、基地局装置１３０ａと基地局装置１３０ｂを含む周辺基地局装置の測定を行う。この測定結果を受けた上位レイヤ処理部１２３は、この測定結果を測定報告メッセージとして符号部１８に出力して、基地局装置１３０ａへ通知している（Ｓｄ３）。なお、測定報告メッセージにハンドオーバー要求を示す制御情報が含まれていても良い。基地局装置１３０ａの上位レイヤ処理部４３は、制御信号処理部３４が抽出した前記測定報告メッセージの内容から基地局装置１３０ｂへのハンドオーバーが必要であると判断したとき、基地局装置１３０ｂへのハンドオーバー要求メッセージを符号部３９に出力して基地局装置１３０ｂに送信することで、移動局装置１１０のハンドオーバーの必要性を通知し（Ｓｄ４）、ハンドオーバーのための準備を要求する。
【００６６】
基地局装置１３０ｂの上位レイヤ処理部４３は、制御信号処理部３４が抽出したハンドオーバー要求を受けて、ハンドオーバーが実行可能と判断した場合、ハンドオーバー要求許可メッセージを符号部３９に出力して、基地局装置１３０ａに通知する（Ｓｄ５）。このハンドオーバー要求許可メッセージを受けた基地局装置１３０ａの上位レイヤ処理部４３は、ハンドオーバー指示メッセージを符号部３９に出力して、移動局装置１１０に対して通知する（Ｓｄ６）。このハンドオーバー指示メッセージを制御信号処理部１１４が抽出し、移動局装置１１０の上位レイヤ処理部２３は、この抽出されたハンドオーバー指示メッセージに従い、ハンドオーバー処理を実施する（Ｓｄ７）。
【００６７】
ハンドオーバー処理が完了した移動局装置１１０は、基地局装置１３０ｂより報知情報として基地局装置１３０ｂの周辺基地局情報を受信し（Ｓｄ８）、制御信号処理部１１４がこの周辺基地局情報を制御チャネルから抽出し、基地局情報管理部１１６が、抽出された周辺基地局情報を周辺基地局情報記憶部２５に保持する（Ｓｄ９）。ここで、周辺基地局情報記憶部２５に保持する際に、周辺基地局管理テーブル更新処理１として、基地局情報管理部１１６は、新たに受信した基地局装置１３０ｂの周辺基地局情報を周辺基地局情報記憶部２５の周辺基地局管理テーブルに追加し、基地局ＩＤ順にソートする。周辺基地局管理テーブル更新処理１を終了した移動局装置１１０の上位レイヤ処理部２３は、基地局装置１３０ｂに対してハンドオーバー完了メッセージを送信する（Ｓｄ１０）。
【００６８】
ハンドオーバー完了メッセージを受信した基地局装置１３０ｂでは、制御信号処理部３４がハンドオーバー完了メッセージを抽出してハンドオーバー制御処理部３６に出力する。ハンドオーバー制御処理部３６は、ハンドオーバー完了メッセージを受けると、周辺基地局情報処理部１３７に差分基地局情報、本実施形態では削除基地局情報を含む測定制御情報メッセージを符号部３９に出力して、移動局装置１１０に送信する（Ｓｄ１１）。この測定制御情報メッセージを受信した移動局装置１１０では、制御信号処理部１１４がこの測定制御情報メッセージの削除基地局情報を抽出し、基地局情報管理部１１６に出力する。基地局情報管理部１１６は、この削除基地局情報を受けて、周辺基地局管理テーブル更新処理２にて、周辺基地局情報記憶部２５の周辺基地局管理テーブルを更新する。
【００６９】
ここで、基地局装置１３０ｂは、移動局装置１１０が基地局装置１３０ａからハンドオーバーしたことを知っているため、ハンドオーバー前に移動局装置１１０が保持していた周辺基地局情報、すなわち基地局装置１３０ａの周辺基地局情報と、基地局装置１３０ｂの周辺基地局情報（第３のリスト）とをマージして報知情報受信後の移動局装置１１０が保持する周辺基地局情報（第１のリスト）を、基地局ＩＤ順にソートした周辺基地局情報と、その基地局管理番号との対応付けを暗黙的に把握することが可能なため、ハンドオーバー後の移動局装置に対し、基地局装置１３０ｂでは測定不要な周辺基地局装置を基地局管理番号で指定した削除基地局情報を生成することが可能である。なお、基地局装置１３０ｂの周辺基地局情報（第３のリスト）に必要な全ての周辺基地局情報を含めてもよく、この場合、基地局装置１３０ａからハンドオーバー元周辺基地局情報を取得し、マージする処理は不要であり、第３のリストから削除すべき基地局のリストが差分基地局情報となる。
【００７０】
図１４は、図１３のステップＳｄ１１において基地局装置１３０ｂから移動局装置１１０に通知される削除基地局情報のデータ構造の一例を示したものである。削除基地局情報として、削除する周辺基地局情報の基地局管理番号が一つ以上含まれている。なお、本実施形態においては削除基地局情報を、削除する周辺基地局情報の基地局管理番号を羅列した情報であるとして説明したが、図６に示した削除基地局ビットマップの情報であってもよい。
【００７１】
図１５は、基地局装置１３０における周辺基地局情報処理部１３７の構成を示す概略ブロック図である。周辺基地局情報処理部１３７は、差分抽出処理部１５０と基地局情報変換部１５１と周辺基地局情報生成部１５２を具備する。差分抽出処理部１５０には、上位レイヤ処理部１４３から自局周辺基地局情報（第３のリスト）が入力され、ハンドオーバー制御処理部１３６からハンドオーバー元周辺基地局情報が入力される。差分抽出処理部１５０は、入力された上述の２種類を併せた周辺基地局情報より基地局装置間の位置関係や回線容量制限などの情報に基づいてハンドオーバー先基地局装置の対象として不適切と判断した基地局情報を抽出し、その基地局IDを削除基地局情報として基地局情報変換部１５１へと出力する。
【００７２】
基地局情報変換部１５１は、差分抽出処理部１５０から受けた削除基地局情報を、移動局装置１１０の基地局管理番号（基地局管理番号は、上述の自局周辺基地局情報とハンドオーバー元周辺基地局情報の２種類を併せた周辺基地局情報により得られる）との対応付けにより変換し、削除基地局管理番号情報を出力する。なお、削除基地局管理番号情報は、図１４に例示し基地局管理番号の羅列であってもよいし、図６に例次した削除しない基地局情報を格納している基地局管理番号に対応するビットを１に設定し、それ以外を０に設定した削除基地局ビットマップの形式であってもよい。なお、ビットマップ形式の場合に設定されるビットは逆でも良い。最後に、基地局情報変換部１５１より出力された削除基地局管理番号情報を基に、周辺基地局情報生成部１５２は、周辺基地局情報を生成する。なお、第３のリストに必要な全ての周辺基地局情報を含める場合、ハンドオーバー制御処理部１３６からのハンドオーバー元周辺基地局情報の入力処理、差分抽出処理部１５０におけるリストをマージ処理は不要である。
【００７３】
周辺基地局情報の管理テーブルの更新方法の一例を図１６（ａ）〜（ｅ）に示す。図１６（ａ）は、ハンドオーバー前の移動局装置における周辺基地局管理テーブルの一例であり、基地局ＩＤが３、４、２３、１８３、２４４の基地局情報が、基地局管理番号１〜５に割り当てられていることを示している。残りの基地局管理番号は使用されていない。このとき、前記移動局装置がハンドオーバーを行い、ハンドオーバー先の基地局装置より図１６（ｂ）で示す周辺基地局情報を取得したとする。図１６（ｂ）は、周辺基地局情報として、新たに基地局ＩＤが４、８、７５、１８３、３０２の基地局情報が追加されることを示している。なお、対応する基地局情報は説明を簡略化するため省略してある。図１６（ｃ）は、ハンドオーバー元基地局装置と、ハンドオーバー先基地局装置から取得した基地局ＩＤをソートすることで生成された周辺基地局情報を示している。ハンドオーバー先の基地局装置より同じ基地局ＩＤの情報を取得した場合、無視するか、上書きする。更に、ハンドオーバー完了後にハンドオーバー先基地局装置より、図１６（ｄ）に示す削除基地局情報が通知される。図１６（ｄ）は、削除対象となる基地局管理番号として1、４、７、８が通知されたことを示している。図１６（ｅ）は、図１６（ｄ）で通知された削除基地局情報に従って、図１６（ｃ）の周辺基地局情報から該当する基地局情報を削除した後の新しい周辺基地局管理テーブルである。なお、ハンドオーバー先の基地局装置は、ハンドオーバー先の基地局装置の報知情報に含まれる周辺基地局情報に対してのみ削除基地局情報を通知しても良い。このとき、図１６（ｃ）に示す周辺基地局情報のソート処理は必要なく、第３のリストのみが用いられる。
【００７４】
図１７は、基地局装置１３０ｂにおける、ハンドオーバー時の削除基地局情報の作成手順を示したフローチャート図である。本フローチャート図は、基地局装置１３０ｂがハンドオーバー元基地局装置１３０ａよりハンドオーバー要求を受信した時点から開始される（Ｓｅ１）。まず、基地局装置１３０ｂの上位レイヤ処理部１４３は、制御信号処理部１３６が抽出したハンドオーバー要求を受けて、該要求のハンドオーバーが可能であるか否かの判定処理を行う（Ｓｅ２）。ここで、上位レイヤ処理部１４３が、収容局数や負荷によりハンドオーバーが不適切だと判定したときは（Ｓｅ２−Ｎｏ）、上位レイヤ処理部１４３は、ハンドオーバー要求却下を符号部３９に出力して、ハンドオーバー元基地局装置１３０ａに通知して（Ｓｅ３）、終了する。
【００７５】
一方、ステップＳｅ２にてハンドオーバーが可能だと判定したときは（Ｓｅ２−Ｙｅｓ）、上位レイヤ処理部１４３は、ハンドオーバー要求許可を符号部３９に出力して、ハンドオーバー元基地局装置１３０ａに通知する（Ｓｅ４）。また、制御信号処理部１３６が抽出したハンドオーバー要求を受けると、ハンドオーバー制御処理部１３６は、このハンドオーバー要求からハンドオーバー元基地局装置１３０ａの基地局ＩＤを取得する（Ｓｅ５）。さらに、ハンドオーバー制御処理部１３６は、取得した基地局ＩＤに対応付けて記憶しているハンドオーバー元周辺基地局情報と、ハンドオーバー先周辺基地局情報とを、周辺基地局情報処理部１３７に出力する。ここで、ハンドオーバー制御処理部１３６が基地局ＩＤに対応付けて記憶しているハンドオーバー元周辺基地局情報とハンドオーバー先周辺基地局情報とは、それぞれ該基地局ＩＤの基地局装置と通信しているときに計測対象となる基地局装置の基地局情報からなる情報と、該基地局ＩＤの基地局装置から当該基地局装置にハンドオーバーしてきたときに計測対象となる基地局装置の基地局情報からなる情報である。周辺基地局情報処理部１３７は、ハンドオーバー元周辺基地局情報と上位レイヤ処理部１４３から受けた自局周辺基地局情報とを併せた基地局情報から、ハンドオーバー先周辺基地局情報を除いた基地局情報の基地局管理番号を、削除基地局情報として抽出する（Ｓｅ６）。
【００７６】
周辺基地局情報処理部１３７は、ステップＳｅ６で抽出した削除基地局情報の基地局管理番号を羅列した周辺基地局情報を生成する（Ｓｅ７）。周辺基地局情報を生成すると、周辺基地局情報処理部１３７は、ハンドオーバー完了が移動局装置１１０より通知されるのを待つ（Ｓｅ８）。移動局装置１１０からハンドオーバー完了が通知されると（Ｓｅ８−Ｙｅｓ）、制御信号処理部３４はハンドオーバー完了を抽出して、ハンドオーバー制御処理部１３６に出力する。ハンドオーバー制御処理部１３６は、ハンドオーバー完了を受けると、周辺基地局情報処理部１３７に、周辺基地局情報の送信を指示する。周辺基地局情報処理部１３７は、この指示を受けると、ステップＳｅ７にて生成した周辺基地局情報を符号部３９に出力して、移動局装置１１０に通知し（Ｓｅ９）、処理を終了する。
【００７７】
図１８は、移動局装置１１０における、ハンドオーバー時の周辺基地局情報の更新手順を示したフローチャート図である。本フローチャート図は、移動局装置１１０がハンドオーバー元基地局装置１３０ａにおける周辺基地局情報を取得し、周辺基地局管理テーブルを作成している状態から開始される。移動局装置１１０の上位レイヤ処理部１２３は、周辺基地局計測部２６による測定結果を通知するための測定報告を定期的に符号部１８に出力して、基地局装置１３０ａに送信している（Ｓｆ１）。移動局装置１１０の上位レイヤ処理部１２３は、ハンドオーバー指示が基地局装置１３０ａより通知されて、制御信号処理部１１４が抽出した該指示が入力されたか否かの確認処理を行い（Ｓｆ２）、ハンドオーバー指示が通知されていないときは（Ｓｆ２−Ｎｏ）、ステップＳｆ１に戻って測定報告の通知を継続する。
【００７８】
一方、ステップＳｆ２にてハンドオーバー指示が通知されたときは（Ｓｆ２−Ｙｅｓ）、上位レイヤ処理部１２３は、制御信号処理部１１４から入力されたハンドオーバー指示に従い、ハンドオーバー処理を開始する（Ｓｆ３）。ハンドオーバー中は、上位レイヤ処理部１２３は、ハンドオーバーが完了したかの判定を行い（Ｓｆ４）、ハンドオーバーが完了した場合（Ｓｆ４−Ｙｅｓ）、移動局装置１１０は、ハンドオーバー先基地局装置１３０ｂから報知情報を受信し、制御信号処理部１１４がこの報知情報からハンドオーバー先周辺基地局情報を抽出して（Ｓｆ５）、基地局情報管理部１１６に出力する。基地局情報管理部１１６は、受けた周辺基地局情報を、周辺基地局情報記憶部２５の周辺基地局管理テーブルに追加する。
【００７９】
次に、上位レイヤ処理部１２３は、ハンドオーバー完了報告を符号部１８に出力して、ハンドオーバー先基地局装置１３０ｂへ送信する（Ｓｆ６）。ハンドオーバー完了報告を受信した基地局装置１３０ｂは、測定制御情報として周辺基地局情報を通知してくる。移動局装置１１０は、この測定制御情報を受信し、制御信号処理部１１４がこの測定制御情報から周辺基地局情報を抽出して（Ｓｆ７）、基地局情報管理部１１６に出力する。基地局管理部１１６は、受けた周辺基地局情報に従って、周辺基地局情報記憶部２５の周辺基地局管理テーブルを更新し（Ｓｆ８）、処理を終了する。
なお、ハンドオーバー先基地局装置の報知情報を受信するタイミングは、ハンドオーバー処理中の任意のタイミングでも可能である。例えば、ハンドオーバー前に事前に取得しても、削除基地局情報を受信した後でも、周辺基地局管理テーブルを更新することは可能であり、処理順序は、図１８のフローチャート図に限定されない。
【００８０】
以上、ハンドオーバー手順における周辺基地局情報管理テーブルの更新方法について説明したが、セル再選択手順であっても同様の更新方法を使用することが出来る。
本実施の形態により、移動局装置が基地局ＩＤに基づいて基地局管理番号を割り振るため、基地局装置で基地局管理番号を割り振る必要がなくなる。そのため、基地局装置間での移動局装置の基地局管理番号のやり取りも必要なくなり、基地局装置の処理量と、基地局管理番号を保持するメモリ容量とを削減することが可能となり、基地局装置の回路規模を削減できる。また、移動局装置に基地局管理番号を通知する必要がなくなり、更に、周辺基地局管理テーブルの更新時には削除する基地局管理番号のみを移動局装置に通知するため、測定制御情報に含まれる周辺基地局情報の情報量が削減され、無線リソースの消費を低減することが可能である。また、移動局装置においても周辺基地局情報の管理が簡潔となり、回路規模が削減され、消費電力が低減する。
【００８１】
［第３の実施形態］
本発明の第３の実施形態について以下に説明する。第１および第２の実施形態では、基地局装置から送信される測定制御情報の情報量を削減する方法を示した。しかしながら、これらの方法は、移動局装置毎に異なる周辺基地局情報を通知し、移動局装置のハンドオーバー先を基地局装置側で制御することが出来なかった。そこで、第３の実施形態では、移動局装置固有の情報を加味して選択された基地局装置の周辺基地局情報を生成する方法について示す。
【００８２】
図１９は、本実施形態による移動局装置２１０の構成を示す概略ブロック図である。同図において、図２の各部に対応する部分（１１〜２２、２４〜２６）には同一の符号を付し、その説明を省略する。本実施形態による移動局装置２１０は、受信部１１、スケジュール部１２、復号部１３、制御信号処理部１４、チャネル測定部１５、基地局情報管理部１６、ＣＱＩ計算部１７、符号部１８、ランダムアクセス制御部１９、チャネル変調部２０、送信電力制御部２１、送信部２２、上位レイヤ処理部２２３、チャネル復調部２４、周辺基地局情報記憶部２５、周辺基地局計測部２６を具備する。
【００８３】
上位レイヤ処理部２２３は、図２の上位レイヤ処理部２３に移動局クラス通知部２２７を加えたものである。移動局クラス通知部２２７は、当該移動局装置の移動局クラス情報を符号部１８に出力して、基地局装置に送信する。移動局クラス情報とは、移動局装置の種別情報であり、例えば、移動局装置の通信サービス加入状態、移動局装置の優先度、呼種別、通信サービスのＱｏＳ（Quality of Service：サービス品質）、在圏している基地局装置の階層番号などで分類される。なお、移動局クラス通知部２２７は、これらの移動局クラス情報のいずれか一つを符号部１８に出力するようにしてもよいし、複数の移動局クラス情報を組み合わせて符号部１８に出力するようにしてもよい。
【００８４】
図２０に、移動局クラス情報と、該移動局クラス情報に対応しており、該移動局クラスの移動局装置にとってハンドオーバー先の候補となる基地局装置、すなわち該移動局装置用の周辺基地局情報として選択される基地局装置との例を示す。図２０に示すように、移動局クラス情報の通信サービス加入状態が「パケットサービス」であれば「通常の基地局」が選択され、「デジタル放送サービス」であれば「デジタル放送専用局」が選択され、「他の通信方式サービス」であれば「ＧＳＭ／Ｗ−ＣＤＭＡ基地局」が選択される。ここで、ＧＳＭとは、Ｇｌｏｂａｌ  Ｓｙｓｔｅｍ  ｆｏｒ  Ｍｏｂｉｌｅ  Ｃｏｍｍｕｎｉｃａｔｉｏｎｓ（第２世代携帯電話）である。
【００８５】
また、移動局クラス情報の移動局装置の優先度が「通常加入者」であれば「通常の基地局」が選択され、「防災（警察・消防）用」であれば「防災時優先局・専用局」が選択される。また、移動局クラス情報の呼種別が「緊急呼」であれば「優先局・専用局」が選択される。また、移動局クラス情報の通信サービスのＱｏＳが「音声サービス」であれば「通常の基地局」が選択され、「ハイビジョン放送」であれば「高品質サービス提供局」が選択される。また、在圏している基地局装置の階層番号が「マクロセル」であれば「基地局半径大」の基地局装置が選択され、「マイクロセル」であれば「基地局半径中」の基地局装置が選択され、「プライベートセル」であれば「基地局半径小」の基地局装置が選択される。
【００８６】
図２１は、本実施形態における基地局装置２３０の構成を示す概略ブロック図である。は、移動局クラス情報が上位レイヤ処理部より周辺基地局情報処理部へ入力される以外は図３と同じである。同図において、図３の各部に対応する部分（３１〜３６、３８〜４２、４４）には同一の符号を付し、その説明を省略する。基地局装置２３０は、受信部３１、スケジュール部３２、復号部３３、制御信号処理部３４、チャネル測定部３５、ハンドオーバー制御処理部３６、周辺基地局情報処理部２３７、ＣＱＩ計算部３８、符号部３９、チャネル変調部４０、送信電力制御部４１、送信部４２、上位レイヤ処理部２４３、チャネル復調部４４を具備する。
【００８７】
周辺基地局情報処理部２３７は、上位レイヤ処理部２４３から自局周辺基地局情報と移動局クラス情報とを入力され、ハンドオーバー制御処理部３６からハンドオーバー元周辺基地局の基地局ＩＤを入力される。周辺基地局情報処理２３７は、入力された自局周辺基地局情報のうち、入力された移動局クラス情報に対応する基地局装置を示す移動局クラス別基地局情報（第２のリスト）を抽出し、前記第２のリストと、入力されたハンドオーバー元周辺基地局情報（第１のリスト）を比較して差分基地局情報を生成する。また、周辺基地局情報処理２３７は、ハンドオーバー制御処理部３６からの指示を受けると、生成した差分基地局情報を符号部３９に出力して、移動局装置２１０に送信する。なお、周辺基地局情報処理部２３７の詳細については、図２４にて説明する。
上位レイヤ処理部２４３は、制御信号処理部３４から入力された制御データより、移動局クラス情報を抽出し、該移動局クラス情報を、自局周辺基地局情報とともに周辺基地局情報処理部２３７に出力する。上位レイヤ処理部２４３の詳細については、図２４にて説明する。
【００８８】
図２２は、本実施形態における、ハンドオーバー時の周辺基地局情報の更新手順を示したシーケンス図である。移動局装置２１０が基地局装置２３０ａと通信を行っている状態から開始し、基地局装置２３０ｂへハンドオーバーする制御を示したものである。ここで、基地局装置２３０ａ、２３０ｂは、図２１にて説明した基地局装置２３０と同様の基地局装置である。移動局装置２１０の移動局クラス通知部２２７は、少なくともハンドオーバー前に、移動局クラス情報を符号部１８に出力して、通信中の基地局装置２３０ａに対し移動局クラス情報を通知する（Ｓｇ１）。この移動局クラス情報の通知は、移動局装置２１０が、位置登録手順やランダムアクセス手順などで基地局装置２３０ａに送信するメッセージに含めて事前に行う。
【００８９】
また、移動局装置２１０の基地局情報管理部１６は、ハンドオーバー前に基地局装置２３０ａからの報知情報あるいは測定制御情報から制御信号処理部１４が抽出した周辺基地局情報を、周辺基地局情報記憶部２５の周辺基地局管理テーブルに格納する（Ｓｇ２）。この周辺基地局情報を格納する周辺基地局管理テーブル生成処理により、周辺基地局管理テーブルを生成する。ただし、基地局管理番号は、周辺基地局情報に含まれる基地局装置の基地局ＩＤ順に周辺基地局情報管理部２５により割り振られる。すなわち、基地局管理番号は基地局装置２３０ａからは通知されない。基地局情報管理部１６は、周辺基地局情報の基地局ＩＤを順番に並べ替え、ＩＤ番号の小さいもの、あるいは大きいものから順番に、連続した基地局管理番号を割り振る。基地局装置２３０ａは、移動局装置２１０が保持している基地局管理情報を基地局ＩＤの順番から暗黙的に知ることが可能であるため、移動局装置毎に基地局管理情報を管理する必要がない。
【００９０】
続いて、移動局装置２１０の周辺基地局計測部２６は、周辺基地局管理テーブルに基づき、基地局装置２３０ａと基地局装置２３０ｂを含む周辺基地局装置の測定を行う。この測定結果を受けた上位部２２３は、該測定結果を測定報告メッセージとして符号部１８に出力して、基地局装置２３０ａへ通知する（Ｓｇ３）。なお、測定報告メッセージにハンドオーバー要求を示す制御情報が含まれていても良い。基地局装置２３０ａの上位レイヤ処理部２４３は、制御信号処理部３４が抽出した前記測定報告メッセージの内容から、測定報告メッセージの送信元である移動局装置２１０の基地局装置２３０ｂへのハンドオーバーが必要であると判断したとき、基地局装置２３０ａの上位レイヤ処理部２３０は、ハンドオーバー要求メッセージを符号部３９に出力して、基地局装置２３０ｂへ送信する（Ｓｇ４）。これにより、基地局装置２３０ａは、基地局装置２３０ｂに移動局装置２１０のハンドオーバーの必要性を通知し、ハンドオーバーのための準備を要求する。このとき、基地局装置２３０ａの上位レイヤ処理部２４３は、移動局装置２１０の情報としてシーケンスＳｇ１で受けた移動局クラス情報を同時に転送する（Ｓｇ５）。図では、移動局クラス情報は、ハンドオーバー要求メッセージとは別のメッセージとして記載してあるが、ハンドオーバー要求メッセージに含めてもよい。
【００９１】
基地局装置２３０ｂの上位レイヤ処理部２４３は、制御信号処理部３４が抽出したシーケンスＳｇ４のハンドオーバー要求メッセージを受けて、ハンドオーバーが実行可能と判断した場合、ハンドオーバー要求許可メッセージを符号部３９に出力して、基地局装置２３０ａに通知する（Ｓｇ６）。これと同時に、制御信号処理部３４が抽出したシーケンスＳｇ４のハンドオーバー要求メッセージを受けて、ハンドオーバー制御処理部３６は、周辺基地局情報処理部２３７に移動局クラス別基地局情報の生成を指示する。基地局装置２３０ａの上位レイヤ処理部２４３は、制御信号処理部３４が抽出したシーケンスＳｇ６のハンドオーバー要求許可メッセージを受けて、ハンドオーバー指示メッセージを符号部３９に出力して、移動局装置２１０に対して通知する（Ｓｇ７）。移動局装置２１０の上位レイヤ処理部２２３は、制御信号処理部１４が抽出したハンドオーバー指示メッセージを受けて、ハンドオーバー処理を実施する（Ｓｇ８）。
【００９２】
ハンドオーバー処理が完了すると、移動局装置２１０の上位レイヤ処理部２２３は、ハンドオーバー完了メッセージを符号部１８に出力して、基地局装置２３０ｂに対して送信する（Ｓｇ９）。ハンドオーバー完了メッセージを受信した基地局装置２３０ｂのハンドオーバー制御処理部３６は、制御信号処理部３４が抽出したハンドオーバー完了メッセージを受けて、周辺基地局情報処理部２３７に先に生成した移動局クラス別基地局情報を測定制御情報メッセージとして符号部３９に出力し、移動局装置２１０に送信し（Ｓｇ１０）、ハンドオーバーを完了する。
【００９３】
この移動局装置２１０に通知した測定制御情報メッセージには、移動局装置２１０が基地局装置２３０ｂで通信を行う場合に必要な移動局クラス別基地局情報が含まれている。ここで、基地局装置２３０ｂは、移動局装置２１０が基地局装置２３０ａからハンドオーバーしたことを知っているため、移動局装置２１０が保持している周辺基地局情報、すなわち基地局装置２３０ａの周辺基地局情報と、移動局クラス情報に基づいて選択した基地局装置２３０ｂの周辺基地局情報とをマージし、基地局ＩＤ順にソートされた周辺基地局情報と、その基地局管理番号との対応付けを暗黙的に把握することが可能なため、基地局装置２３０ｂでは測定不要な周辺基地局装置を基地局管理番号で指定することが可能である。移動局装置２１０の基地局情報管理部１６は、制御信号処理部１４が抽出した測定制御情報メッセージを受けて、周辺基地局管理テーブル更新処理にて、測定制御情報メッセージ内の移動局クラス別基地局情報を元に周辺基地局情報記憶部２５の周辺基地局管理テーブルの更新を行う（Ｓｇ１１）。
なお、移動局クラス別基地局情報には、削除基地局管理番号か追加基地局情報のどちらか一方、あるいは両方が含まれている。削除基地局管理情報番号は、削除する基地局情報の管理番号を直接通知しても、また、図５に示した削除基地局ビットマップ情報として通知されても良い。
【００９４】
図２３は、基地局装置２３０における周辺基地局情報処理部２３７の構成を示す概略ブロック図である。周辺基地局情報処理部２３７は、周辺基地局情報選択部２５０と、差分抽出処理部２５１と、基地局情報変換部２５２と、周辺基地局情報生成部２５３とを具備する。周辺基地局情報選択部２５０には、上位レイヤ処理部２４３から自局周辺基地局情報と移動局クラス情報とが入力される。周辺基地局情報選択部２５０は、自局周辺基地局情報の中から移動局クラス情報に基づき選択した基地局装置の周辺基地局情報を生成し、移動局クラス別基地局情報として出力する。
【００９５】
例えば、移動局クラス情報として、移動局装置２１０の通信サービス加入状態が「デジタル放送サービス」を示すものであったとき、移動局クラス別基地局情報は、「デジタル放送サービス」に加入している移動局装置のみが使用可能な「デジタル放送専用局」を含む。また、移動局クラス情報として、呼種別が「緊急呼」を示すものであったとき、移動局クラス別基地局情報は、緊急呼を扱う「優先局・専用局」を含む。また、移動局クラス情報として、通信サービスのＱｏＳが「音声サービス」を示すものであったとき、移動局クラス別基地局情報は、「音声サービス」のＱｏＳを達成するような基地局装置である「通常の基地局」を示す。
【００９６】
差分抽出処理部２５１には、周辺基地局情報選択部２５０より上述した移動局クラス別基地局情報（第２のリスト）が入力され、ハンドオーバー制御処理部３６よりハンドオーバー元周辺基地局情報（第１のリスト）が入力される。差分抽出処理部２５１は、入力された前記情報を比較し、ハンドオーバー元周辺基地局情報より不要な基地局情報を抽出し、削除基地局情報として基地局情報変換部２５２へと出力する。基地局情報変換部２５２は、前記削除基地局情報を移動局装置２１０の基地局管理番号との対応付けにより変換し、削除基地局管理番号情報を出力する。また、差分抽出処理部２５１は、自局周辺基地局情報に含まれているが、ハンドオーバー元周辺基地局情報に含まれていない基地局情報を追加基地局情報として出力する。このとき、削除基地局管理番号情報は、基地局管理番号のままであっても、削除しない基地局情報を格納している基地局管理番号に対応するビットを１に設定し、それ以外を０に設定したビットマップ形式であってもよい。なお、ビットマップ形式の場合に設定されるビットは逆でも良い。最後に、基地局情報変換部２５２より出力された削除基地局管理番号情報と、先の追加基地局情報とをマージした情報を基に、周辺基地局情報生成部２５３が移動局クラス別基地局情報を生成する。
【００９７】
図２４は、基地局装置２３０ｂにおける、ハンドオーバー時の移動局クラス別基地局情報の作成手順を示したフローチャート図である。本フローチャート図は、基地局装置２３０ｂがハンドオーバー元基地局装置２３０ａよりハンドオーバー要求を受信した時点から開始される（Ｓｈ１）。まず、基地局装置２３０ａの上位レイヤ処理部２４３は、制御信号処理部３４が抽出したハンドオーバー要求を受け、要求されたハンドオーバーが可能であるかの判定処理を行う（Ｓｈ２）。ここで、収容局数や負荷によりハンドオーバーが不適切だと判定したとき（Ｓｈ２−Ｎｏ）は、上位レイヤ処理部２４３は、ハンドオーバー要求却下を符号部３９に出力して、ハンドオーバー元基地局装置２３０ａに通知して終了する（Ｓｈ３）。
【００９８】
一方、ハンドオーバーが可能だと判定したとき（Ｓｈ２−Ｙｅｓ）は、上位レイヤ処理部２４３は、ハンドオーバー要求許可を符号部３９に出力して、ハンドオーバー元基地局装置２３０ａに通知する（Ｓｈ４）。また、ハンドオーバー制御処理部３６は、制御信号処理部３４が抽出したハンドオーバー要求を受け、該要求からハンドオーバー元基地局装置２３０ａの基地局ＩＤを取得する（Ｓｈ５）。また、周辺基地局情報処理部２３７は、前記基地局ＩＤの周辺基地局情報と、移動局クラス情報に基づく自局周辺基地局情報との差分を取ることで、追加基地局情報と削除基地局情報とを抽出し（Ｓｈ６）、前記抽出した情報に基づいた移動局クラス別基地局情報を生成する（Ｓｈ７）。周辺基地局情報処理部２３７は、前記処理を行いつつ、ハンドオーバー完了が移動局装置２１０より通知されるのを待つ（Ｓｈ８）。ハンドオーバー完了が通知され、制御信号処理部１６が抽出したハンドオーバー完了を受けたハンドオーバー制御処理部３６がハンドオーバー完了を周辺基地局情報処理部２３７に指示し、周辺基地局情報処理部２３７は、ステップＳｈ７にて生成した移動局クラス別基地局情報を符号部３９に出力して、移動局装置２１０に送信し（Ｓｈ９）、処理を終了する。
【００９９】
図２５は、移動局装置２１０における、ハンドオーバー時の周辺基地局情報の更新手順を示したフローチャート図である。本フローチャート図は、移動局装置２１０がハンドオーバー元基地局装置２３０ａにおける周辺基地局情報を取得し、周辺基地局管理テーブルを作成している状態から開始される。移動局装置２１０の上位レイヤ処理部２２３は、測定結果を通知するための測定報告メッセージを符号部１８に出力し、基地局装置２３０ａに送信している（Ｓｉ１）。移動局装置２１０の上位レイヤ処理部２２３は、ハンドオーバー指示が基地局装置２３０ａより通知されたかの確認処理を行い（Ｓｉ２）、ハンドオーバー指示が通知されないときは（Ｓｉ２−Ｎｏ）、ステップＳｉ１に戻り測定報告処理を継続する。
【０１００】
一方、ハンドオーバー指示が通知されたときは（Ｓｉ２−Ｙｅｓ）、上位レイヤ処理部２２３は、制御信号処理部１４が抽出したハンドオーバー指示を受けて、この指示に従い、ハンドオーバー処理を開始する（Ｓｉ３）。ハンドオーバー中は、上位レイヤ処理部２２３は、ハンドオーバーが完了したかの判定を行い（Ｓｉ４）、ハンドオーバーが完了した場合、ハンドオーバー完了報告を符号部１８に出力して、ハンドオーバー先基地局装置２３０ｂへ送信する（Ｓｉ５）。ハンドオーバー完了報告を受信した基地局装置２３０ｂは、測定制御情報として移動局クラス別基地局情報を通知してくるため、移動局装置２１０は、この移動局クラス別基地局情報の受信処理を行う。制御信号処理部１４は、この受信した移動局クラス別基地局情報を抽出して、基地局情報管理部１６に出力する。基地局情報管理部１６は、この移動局クラス別基地局情報に従って周辺基地局情報記憶部２５の周辺基地局管理テーブルを更新する。
【０１０１】
本実施の形態により、移動局装置のクラス分類に応じた適切な周辺基地局情報を作成可能となるため、移動局装置の通信品質を向上させることが可能となる。また、移動局装置が基地局ＩＤに基づいて基地局管理番号を割り振るため、基地局装置で基地局管理番号を割り振る必要がなくなる。そのため、基地局装置間での移動局装置の基地局管理番号のやり取りも必要なくなり、基地局装置の処理量と、基地局管理番号を保持するメモリ容量とを削減することが可能となり、基地局装置の回路規模を削減できる。また、移動局装置に基地局管理番号を通知する必要がなくなるため、測定制御情報に含まれる周辺基地局情報の情報量が削減され、無線リソースの消費を低減することが可能である。また、移動局装置においても周辺基地局情報の管理が簡潔となり、回路規模が削減され、消費電力が低減する。
【０１０２】
なお、本実施の形態は、第１の実施形態において、移動局クラス情報を用いて、移動局装置に通知される周辺基地局情報を移動局クラス別基地局情報とするようにしたが、同様に第２の実施形態において、移動局クラス情報を用いて、移動局装置に通知される周辺基地局情報を移動局クラス別となるようにしてもよい。この場合、ハンドオーバー制御処理部１３６が周辺基地局情報処理部１３７に出力するハンドオーバー先周辺基地局情報を、移動局クラス別基地局情報とする。
【０１０３】
なお、この処理部３０は専用のハードウェアにより実現されるものであってもよく、また、この処理部３０はメモリおよびＣＰＵ（中央演算装置）により構成され、処理部３０の機能を実現するためのプログラムをメモリにロードして実行することによりその機能を実現させるものであってもよい。
【０１０４】
また、図２における受信部１１、スケジュール部１２、復号部１３、制御信号処理部１４、チャネル測定部１５、基地局情報管理部１６、ＣＱＩ計算部１７、符号部１８、ランダムアクセス制御部１９、チャネル変調部２０、送信電力制御部２１、送信部２２、上位レイヤ処理部２３、チャネル復調部２４、周辺基地局計測部２６、および図３における受信部３１、スケジュール部３２、復号部３３、制御信号処理部３４、チャネル測定部３５、ハンドオーバー制御処理部３６、周辺基地局情報処理部３７、ＣＱＩ計算部３８、符号部３９、チャネル変調部４０、送信電力制御部４１、送信部４２、上位レイヤ処理部４３、チャネル復調部４４、および図１１受信部１１、スケジュール部１２、復号部１３、制御信号処理部１１４、チャネル測定部１５、基地局情報管理部１１６、ＣＱＩ計算部１７、符号部１８、ランダムアクセス制御部１９、チャネル変調部２０、送信電力制御部２１、送信部２２、上位レイヤ処理部１２３、チャネル復調部２４、周辺基地局計測部２６、および図１２における受信部３１、スケジュール部３２、復号部３３、制御信号処理部３４、チャネル測定部３５、ハンドオーバー制御処理部１３６、周辺基地局情報処理部１３７、ＣＱＩ計算部３８、符号部３９、チャネル変調部４０、送信電力制御部４１、送信部４２、上位レイヤ処理部１４３、チャネル復調部４４、および図１９における、基地局情報管理部１６、ＣＱＩ計算部１７、符号部１８、ランダムアクセス制御部１９、チャネル変調部２０、送信電力制御部２１、送信部２２、上位レイヤ処理部２２３、チャネル復調部２４、周辺基地局計測部２６、および図２１における受信部３１、スケジュール部３２、復号部３３、制御信号処理部３４、チャネル測定部３５、ハンドオーバー制御処理部３６、周辺基地局情報処理部２３７、ＣＱＩ計算部３８、符号部３９、チャネル変調部４０、送信電力制御部４１、送信部４２、上位レイヤ処理部２４３、チャネル復調部４４の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１０５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０６】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【０１０７】
本発明は、複数の基地局装置を有する移動通信システムに用いて好適であるが、これに限定されない。
【図面の簡単な説明】
【０１０８】
【図１】周波数領域と時間領域で区切られた無線リソースを示す図である。
【図２】この発明の第１の実施形態における移動局装置１０の構成を示す概略ブロック図である。
【図３】同実施形態における基地局装置３０の構成を示す概略ブロック図である。
【図４】同実施形態におけるハンドオーバー時の周辺基地局情報通知の動作例を示したシーケンス図である。
【図５】同実施形態における測定制御情報に含まれる周辺基地局情報のデータ構造を示す図である。
【図６】同実施形態における削除基地局をビットマップで通知する方法のデータ例を示す図である。
【図７】同実施形態における基地局装置３０における周辺基地局情報処理部３７の構造を示す概略ブロック図である。
【図８】同実施形態における移動局装置１０の周辺基地局情報の管理テーブル更新による遷移の例である。
【図９】同実施形態における基地局装置３０のハンドオーバー手順を示したフローチャート図である。
【図１０】同実施形態における移動局装置１０のハンドオーバー手順を示したフローチャート図である。
【図１１】この発明の第２の実施形態における移動局装置１１０の構成を示す概略ブロック図である。
【図１２】同実施形態における基地局装置１３０の構成を示す概略ブロック図である。
【図１３】同実施形態におけるハンドオーバー時の周辺基地局情報通知の動作例を示したシーケンス図である。
【図１４】同実施形態における測定制御情報に含まれる周辺基地局情報のデータ構造を示す図である。
【図１５】同実施形態における周辺基地局情報処理部１３７の構成を示すブロック図である。
【図１６】同実施形態における移動局装置１１０の周辺基地局情報の管理テーブル更新の例である。
【図１７】同実施形態における基地局装置１３０のハンドオーバー手順を示したフローチャート図である。
【図１８】同実施形態における移動局装置１１０のハンドオーバー手順を示したフローチャート図である。
【図１９】この発明の第３の実施形態における移動局装置２１０の構成を示す概略ブロック図である。
【図２０】同実施形態における移動局クラス情報と選択される基地局装置の対応を示す図である。
【図２１】同実施形態における基地局装置２３０の構成を示す概略ブロック図である。
【図２２】同実施形態におけるハンドオーバー時の周辺基地局情報通知の動作例を示したシーケンス図である。
【図２３】同実施形態における基地局装置２３０における周辺基地局情報処理部２３７の構成を示す概略ブロック図である。
【図２４】同実施形態における基地局装置２３０のハンドオーバー手順を示したフローチャート図である。
【図２５】同実施形態における移動局装置２１０のハンドオーバー手順を示したフローチャート図である。
【図２６】従来の基地局装置の配置例を示した図である。
【図２７】従来の周辺基地局情報の管理テーブルの一例である。
【図２８】従来の周辺基地局情報の管理テーブルの更新方法を示すデータ構造の一例である。
【図２９】従来のハンドオーバー手順を示すシーケンス図である。
【符号の説明】
【０１０９】
１０、１１０、２１０…移動局装置
１１…受信部
１２…スケジュール部
１３…復号部
１４、１１４…制御信号処理部
１５…チャネル測定部
１６、１１６…基地局情報管理部
１７…ＣＱＩ計算部
１８…符号部
１９…ランダムアクセス制御部
２０…チャネル変調部
２１…送信電力制御部
２２…送信部
２３、１２３、２２３…上位レイヤ処理部
２４…チャネル復調部
２５…周辺基地局情報記憶部
２６…周辺基地局計測部
３０、１３０、２３０…基地局装置
３１…受信部
３２…スケジュール部
３３…復号部
３４…制御信号処理部
３５…チャネル測定部
３６、１３６…ハンドオーバー制御処理部
３７、１３７、２３７…周辺基地局情報処理部
３８…ＣＱＩ計算部
３９…符号部
４０…チャネル変調部
４１…送信電力制御部
４２…送信部
４３、１４３、２４３…上位レイヤ処理部
４４…チャネル復調部
５０、１５０…差分抽出処理部
５１、１５１…基地局情報変換部
５２、１５２…周辺基地局情報生成部
１４５…自局周辺基地局情報記憶部
２２７…移動局クラス通知部
【図１】
2009081547.tif 000003
【図２】
2009081547.tif 000004
【図３】
2009081547.tif 000005
【図４】
2009081547.tif 000006
【図５】
2009081547.tif 000007
【図６】
2009081547.tif 000008
【図７】
2009081547.tif 000009
【図８】
2009081547.tif 000010
【図９】
2009081547.tif 000011
【図１０】
2009081547.tif 000012
【図１１】
2009081547.tif 000013
【図１２】
2009081547.tif 000014
【図１３】
2009081547.tif 000015
【図１４】
2009081547.tif 000016
【図１５】
2009081547.tif 000017
【図１６】
2009081547.tif 000018
【図１７】
2009081547.tif 000019
【図１８】
2009081547.tif 000020
【図１９】
2009081547.tif 000021
【図２０】
2009081547.tif 000022
【図２１】
2009081547.tif 000023
【図２２】
2009081547.tif 000024
【図２３】
2009081547.tif 000025
【図２４】
2009081547.tif 000026
【図２５】
2009081547.tif 000027
【図２６】
2009081547.tif 000028
【図２７】
2009081547.tif 000029
【図２８】
2009081547.tif 000030
【図２９】
2009081547.tif 000031